(57)【特許請求の範囲】
【請求項１】
複数の駐車場における車両の利用を管理する駐車場利用管理システムであって、
前記各駐車場に関するデータと、当該駐車場を利用した車両に関するデータとを管理するデータ管理装置と、
前記各駐車場にそれぞれ設けられて、前記データ管理装置が管理しているデータに基づいて、当該駐車場における車両の利用を制御する利用制御装置と
を備え、
前記利用制御装置は、
駐車場を利用する車両から、当該車両を識別する車両識別データを取得する車両識別データ取得部と、
駐車場の利用方法について、前記複数の駐車場のうち当該駐車場を含むグループ化された２つ以上の駐車場を利用することが選択された場合、前記車両識別データ取得部が取得した車両識別データを、前記データ管理装置へ送信する車両識別データ送信部と
を有し、
前記データ管理装置は、
前記利用制御装置から、車両識別データを受信する車両識別データ受信部と、
前記車両識別データ受信部が受信した車両識別データを少なくとも含む、当該車両識別データによって識別される車両に関するデータを、前記各利用制御装置へ配信する車両データ配信部と
を有し、
前記利用制御装置は、
前記データ管理装置から、車両に関するデータを受信する車両データ受信部と、
前記車両データ受信部が受信したデータに含まれている車両識別データと、前記車両識別データ取得部が取得した車両識別データとが一致する場合、前記車両識別データ取得部が取得した車両識別データによって識別される車両に対して、駐車場の利用を許可する利用制御部と
を更に有する駐車場利用管理システム。
【請求項２】
前記利用制御装置は、
駐車場の利用方法について、当該駐車場だけを利用するか、又は、当該駐車場を含むグループ化された２つ以上の駐車場を利用するか、いずれの利用方法が選択されたのかを示すデータを取得する利用方法選択データ取得部
を更に有し、
前記利用制御装置の前記車両識別データ送信部は、前記車両識別データを送信するにあたり、前記利用方法選択データ取得部が取得したデータが、グループ化された２つ以上の駐車場を利用することが選択されたことを示している場合に送信する
請求項１に記載の駐車場利用管理システム。
【請求項３】
前記利用制御装置は、
当該装置の前記車両識別データ受信部が受信した車両識別データと、前記車両識別データ取得部が取得した車両識別データとが一致する場合、又は、前記利用方法選択データ取得部が取得したデータが、グループ化された２つ以上の駐車場を利用することが選択されたことを示している場合、前記グループ化された２つ以上の各駐車場のうち、前記車両識別データ取得部が取得した車両識別データによって識別される車両が利用していない駐車場を選択する駐車場選択部と、
前記駐車場選択部が選択した駐車場への案内を示すデータを生成する案内データ生成部と、
前記案内データ生成部が生成したデータによって示される駐車場への案内が前記車両の搭乗者へ報知されるように、前記案内データ生成部が生成したデータを、外部の報知手段へ出力する案内データ出力部と
を更に有する請求項２に記載の駐車場利用管理システム。
【請求項４】
前記データ管理装置の前記車両データ配信部は、車両に関するデータを配信するにあたり、当該車両が利用した駐車場を識別する駐車場識別データを更に含むデータを配信し、
前記利用制御装置の前記車両データ受信部は、車両に関するデータを受信するにあたり、当該車両が利用した駐車場を識別する駐車場識別データを更に含むデータを受信し、
前記利用制御装置の駐車場選択部は、前記駐車場を選択するにあたり、前記車両識別データ取得部が取得した車両識別データと、前記車両データ受信部が受信したデータに含まれている車両識別データ及び駐車場識別データとに基づいて選択する
請求項３に記載の駐車場利用管理システム。
【請求項５】
前記利用制御装置は、
駐車場の混雑の度合いを算出する混雑度算出部と、
前記混雑度算出部が算出した駐車場の混雑の度合いを示すデータを、前記データ管理装置へ送信する混雑度データ送信部と
を更に有し、
前記データ管理装置は、
前記利用制御装置から、駐車場の混雑の度合いを示すデータを受信する混雑度データ受信部と、
前記混雑度データ受信部が受信した駐車場の混雑の度合いを示すデータを、前記各利用制御装置へ配信する混雑度データ配信部と
を更に有し、
前記利用制御装置は、
前記データ管理装置から、駐車場の混雑の度合いを示すデータを受信する混雑度データ受信部
を更に有し、
前記利用制御装置の駐車場選択部は、前記駐車場を選択するにあたり、前記混雑度データ受信部が受信したデータによって示される駐車場の混雑の度合いに基づいて選択する請求項３又は４に記載の駐車場利用管理システム。
【請求項６】
前記データ管理装置は、
道路交通情報を収集している外部の道路交通情報装置から、道路交通情報を示すデータを受信する道路交通情報データ受信部と、
前記道路交通情報データ受信部が受信した道路交通情報を示すデータを、前記各利用制御装置へ配信する道路交通情報データ配信部と
を更に有し、
前記利用制御装置は、
前記データ管理装置から、道路交通情報を示すデータを受信する道路交通情報データ受信部
を更に有し、
前記利用制御装置の駐車場選択部は、前記駐車場を選択するにあたり、前記道路交通情報データ受信部が受信したデータによって示される道路交通情報に基づいて選択する
請求項３から５のいずれか一項に記載の駐車場利用管理システム。
【請求項７】
前記データ管理装置は、
グループ化された２つ以上の各駐車場の巡回すべき順序を示すデータの入力を受け付ける巡回順序データ入力受付部と、
前記巡回順序データ入力受付部が入力を受け付けたグループ化された２つ以上の各駐車場の巡回すべき順序を示すデータを、前記各利用制御装置へ配信する巡回順序データ配信部と
を更に有し、
前記利用制御装置は、
前記データ管理装置から、グループ化された２つ以上の各駐車場の巡回すべき順序を示すデータを受信する巡回順序データ受信部
を更に有し、
前記利用制御装置の駐車場選択部は、前記駐車場を選択するにあたり、前記巡回順序データ受信部が受信したデータによって示されるグループ化された２つ以上の各駐車場の巡回すべき順序に基づいて選択する
請求項３から６のいずれか一項に記載の駐車場利用管理システム。
【請求項８】
前記利用制御装置の利用制御部は、当該装置の前記車両識別データ受信部が受信した車両識別データと、前記車両識別データ取得部が取得した車両識別データとが一致しない場合、前記車両識別データ取得部が取得した車両識別データによって識別される車両に対して、駐車場を利用するための所定の手続がとられた後に、当該駐車場から出庫することを許可する
請求項１から７のいずれか一項に記載の駐車場利用管理システム。
【請求項９】
複数の各駐車場にそれぞれ設けられて、データ管理装置が管理しているデータに基づいて、当該駐車場における車両の利用を制御する利用制御装置であって、
駐車場を利用する車両から、当該車両を識別する車両識別データを取得する車両識別データ取得部と、
駐車場の利用方法について、前記複数の駐車場のうち当該駐車場を含むグループ化された２つ以上の駐車場を利用することが選択された場合、前記車両識別データ取得部が取得した車両識別データを、前記データ管理装置へ送信する車両識別データ送信部と、
前記データ管理装置から、車両に関するデータを受信する車両データ受信部と、
前記車両データ受信部が受信したデータに含まれている車両識別データと、前記車両識別データ取得部が取得した車両識別データとが一致する場合、前記車両識別データ取得部が取得した車両識別データによって識別される車両に対して、駐車場の利用を許可する利用制御部と
を備える利用制御装置。
【請求項１０】
複数の各駐車場にそれぞれ設けられて、データ管理装置が管理しているデータに基づいて、当該駐車場における車両の利用を制御する利用制御装置を制御する制御方法であって、
駐車場を利用する車両から、当該車両を識別する車両識別データを取得する車両識別データ取得段階と、
駐車場の利用方法について、前記複数の駐車場のうち当該駐車場を含むグループ化された２つ以上の駐車場を利用することが選択された場合、前記車両識別データ取得段階において取得された車両識別データを、前記データ管理装置へ送信する車両識別データ送信段階と、
前記データ管理装置から、車両に関するデータを受信する車両データ受信段階と、
前記車両データ受信段階において受信されたデータに含まれている車両識別データと、前記車両識別データ取得段階において取得された車両識別データとが一致する場合、前記車両識別データ取得段階において取得された車両識別データによって識別される車両に対して、駐車場の利用を許可する利用制御段階と
を備える制御方法。
【請求項１１】
複数の各駐車場にそれぞれ設けられて、データ管理装置が管理しているデータに基づいて、当該駐車場における車両の利用を制御する利用制御装置用のプログラムであって、前記利用制御装置を、
駐車場を利用する車両から、当該車両を識別する車両識別データを取得する車両識別データ取得部、
駐車場の利用方法について、前記複数の駐車場のうち当該駐車場を含むグループ化された２つ以上の駐車場を利用することが選択された場合、前記車両識別データ取得部が取得した車両識別データを、前記データ管理装置へ送信する車両識別データ送信部、
前記データ管理装置から、車両に関するデータを受信する車両データ受信部、
前記車両データ受信部が受信したデータに含まれている車両識別データと、前記車両識別データ取得部が取得した車両識別データとが一致する場合、前記車両識別データ取得部が取得した車両識別データによって識別される車両に対して、駐車場の利用を許可する利用制御部
として機能させるプログラム。
【発明の詳細な説明】
【技術分野】
【０００１】
本発明は、駐車場利用管理システムに関する。特に本発明は、複数の駐車場における車両の利用を管理する駐車場利用管理システム、各駐車場に設けられて、データ管理装置が管理しているデータに基づいて、当該駐車場における車両の利用を制御する利用制御装置、当該データ管理装置及び利用制御装置を制御する制御方法、並びに当該データ管理装置及び利用制御装置用のプログラムに関する。
【背景技術】
【０００２】
市街地や観光地には、レストランや百貨店、観光スポット等、人が集まる多くのスポットが点在している。これらのスポットでは、集客力を高めるために様々な工夫が成されている。その一つの考え方としては、各スポットに設けられた駐車場を効率的に利用できるようにする、といった考え方が挙げられる。
【０００３】
例えば、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）は、道路交通情報をカーナビゲーションシステムの中に連続的に送り込み、ドライバーの視覚と聴覚に訴えかけながら目的地までの最適ルートを選べるようにしてくれる。これによって、ドライバーは、工事や事故等による規制箇所や渋滞箇所を回避しながら走ることができる。また、ところによっては駐車場の利用情報等も表示され、ドライバーが無駄な心配や移動をしなくても済む。
【０００４】
駐車場を効率的に利用するための技術としては、ＤＳＲＣ（Ｄｅｄｉｃａｔｅｄ  Ｓｈｏｒｔ  Ｒａｎｇｅ  Ｃｏｍｍｕｎｉｃａｔｉｏｎ）アンテナを介して車載器と処理装置とで双方向データ通信を高速で行う駐車場自動料金システムが知られている（例えば、特許文献１参照。）。このシステムでは、車両を駐車場に入出庫させるための情報を授受すると共に、駐車料金を自動的に計算し、且つ決済する。
【先行技術文献】
【特許文献】
【０００５】
【特許文献１】特開２０００−２８５１５７号公報
【発明の概要】
【発明が解決しようとする課題】
【０００６】
ところで、上記のような場所において集客力を高めるための別の考え方としては、各スポットにおける集客力を個別に高めるのではなく、これらのスポットが点在している市街地や観光地の街全体の集客力を高める、といった考え方が挙げられる。そのためには、例えば、ある観光スポットに観光に来た人を、その街のレストランや百貨店、別の観光スポット等の他のスポットに積極的に誘導するための工夫が必要となる。具体的には、車両で移動する人をターゲットにした場合、各スポットに設けられた複数の駐車場を巡るように周遊利用してもらうための工夫が必要となる。そのためには、各スポットに設けられた複数の駐車場を積極的に周遊利用したくなるような、利便性の高いサービスの提供が求められる。
【０００７】
上記の特許文献１に記載のシステムでは、車両をほぼノンストップでスムーズに入出庫させることができる。しかしながら、特許文献１には、各スポットに設けられた複数の駐車場を周遊利用したくなるような利便性の高いサービスに関する技術は何ら開示されていない。そのため、特許文献１に記載のシステムを実現するだけでは、各スポットに設けられた複数の駐車場の周遊利用を促進することはできない。また、現状では、そのような技術やサービスは、何ら知られていない。
【課題を解決するための手段】
【０００８】
上記課題を解決するために、本発明の第１の形態によると、複数の駐車場における車両の利用を管理する駐車場利用管理システムであって、各駐車場に関するデータと、当該駐車場を利用した車両に関するデータとを管理するデータ管理装置と、各駐車場にそれぞれ設けられて、データ管理装置が管理しているデータに基づいて、当該駐車場における車両の利用を制御する利用制御装置とを備え、利用制御装置は、駐車場を利用する車両から、当該車両を識別する車両識別データを取得する車両識別データ取得部と、駐車場の利用方法について、複数の駐車場のうち当該駐車場を含むグループ化された２つ以上の駐車場を利用することが選択された場合、車両識別データ取得部が取得した車両識別データを、データ管理装置へ送信する車両識別データ送信部とを有し、データ管理装置は、利用制御装置から、車両識別データを受信する車両識別データ受信部と、車両識別データ受信部が受信した車両識別データを少なくとも含む、当該車両識別データによって識別される車両に関するデータを、各利用制御装置へ配信する車両データ配信部とを有し、利用制御装置は、データ管理装置から、車両に関するデータを受信する車両データ受信部と、車両データ受信部が受信したデータに含まれている車両識別データと、車両識別データ取得部が取得した車両識別データとが一致する場合、車両識別データ取得部が取得した車両識別データによって識別される車両に対して、駐車場の利用を許可する利用制御部とを更に有する。
【０００９】
利用制御装置は、駐車場の利用方法について、当該駐車場だけを利用するか、又は、当該駐車場を含むグループ化された２つ以上の駐車場を利用するか、いずれの利用方法が選択されたのかを示すデータを取得する利用方法選択データ取得部を更に有し、利用制御装置の車両識別データ送信部は、車両識別データを送信するにあたり、利用方法選択データ取得部が取得したデータが、グループ化された２つ以上の駐車場を利用することが選択されたことを示している場合に送信してよい。
【００１０】
利用制御装置の利用制御部は、当該装置の車両識別データ受信部が受信した車両識別データと、車両識別データ取得部が取得した車両識別データとが一致しない場合、車両識別データ取得部が取得した車両識別データによって識別される車両に対して、駐車場を利用するための所定の手続がとられた後に、当該駐車場から出庫することを許可してよい。
【００１１】
利用制御装置は、当該装置の車両識別データ受信部が受信した車両識別データと、車両識別データ取得部が取得した車両識別データとが一致する場合、又は、利用方法選択データ取得部が取得したデータが、グループ化された２つ以上の駐車場を利用することが選択されたことを示している場合、グループ化された２つ以上の各駐車場のうち、車両識別データ取得部が取得した車両識別データによって識別される車両が利用していない駐車場を選択する駐車場選択部と、駐車場選択部が選択した駐車場への案内を示すデータを生成する案内データ生成部と、案内データ生成部が生成したデータによって示される駐車場への案内が車両の搭乗者へ報知されるように、案内データ生成部が生成したデータを、外部の報知手段へ出力する案内データ出力部とを更に有してよい。
【００１２】
データ管理装置の車両データ配信部は、車両に関するデータを配信するにあたり、当該車両が利用した駐車場を識別する駐車場識別データを更に含むデータを配信し、利用制御装置の車両データ受信部は、車両に関するデータを受信するにあたり、当該車両が利用した駐車場を識別する駐車場識別データを更に含むデータを受信し、利用制御装置の駐車場選択部は、駐車場を選択するにあたり、車両識別データ取得部が取得した車両識別データと、車両データ受信部が受信したデータに含まれている車両識別データ及び駐車場識別データとに基づいて選択してよい。
【００１３】
利用制御装置は、駐車場の混雑の度合いを算出する混雑度算出部と、混雑度算出部が算出した駐車場の混雑の度合いを示すデータを、データ管理装置へ送信する混雑度データ送信部とを更に有し、データ管理装置は、利用制御装置から、駐車場の混雑の度合いを示すデータを受信する混雑度データ受信部と、混雑度データ受信部が受信した駐車場の混雑の度合いを示すデータを、各利用制御装置へ配信する混雑度データ配信部とを更に有し、利用制御装置は、データ管理装置から、駐車場の混雑の度合いを示すデータを受信する混雑度データ受信部を更に有し、利用制御装置の駐車場選択部は、駐車場を選択するにあたり、混雑度データ受信部が受信したデータによって示される駐車場の混雑の度合いに基づいて選択してよい。
【００１４】
データ管理装置は、道路交通情報を収集している外部の道路交通情報装置から、道路交通情報を示すデータを受信する道路交通情報データ受信部と、道路交通情報データ受信部が受信した道路交通情報を示すデータを、各利用制御装置へ配信する道路交通情報データ配信部とを更に有し、利用制御装置は、データ管理装置から、道路交通情報を示すデータを受信する道路交通情報データ受信部を更に有し、利用制御装置の駐車場選択部は、駐車場を選択するにあたり、道路交通情報データ受信部が受信したデータによって示される道路交通情報に基づいて選択してよい。
【００１５】
データ管理装置は、グループ化された２つ以上の各駐車場の巡回すべき順序を示すデータの入力を受け付ける巡回順序データ入力受付部と、巡回順序データ入力受付部が入力を受け付けたグループ化された２つ以上の各駐車場の巡回すべき順序を示すデータを、各利用制御装置へ配信する巡回順序データ配信部とを更に有し、利用制御装置は、データ管理装置から、グループ化された２つ以上の各駐車場の巡回すべき順序を示すデータを受信する巡回順序データ受信部を更に有し、利用制御装置の駐車場選択部は、駐車場を選択するにあたり、巡回順序データ受信部が受信したデータによって示されるグループ化された２つ以上の各駐車場の巡回すべき順序に基づいて選択してよい。
【００１７】
本発明の第２の形態によると、複数の各駐車場にそれぞれ設けられて、データ管理装置が管理しているデータに基づいて、当該駐車場における車両の利用を制御する利用制御装置であって、駐車場を利用する車両から、当該車両を識別する車両識別データを取得する車両識別データ取得部と、駐車場の利用方法について、複数の駐車場のうち当該駐車場を含むグループ化された２つ以上の駐車場を利用することが選択された場合、車両識別データ取得部が取得した車両識別データを、データ管理装置へ送信する車両識別データ送信部と、データ管理装置から、車両に関するデータを受信する車両データ受信部と、車両データ受信部が受信したデータに含まれている車両識別データと、車両識別データ取得部が取得した車両識別データとが一致する場合、車両識別データ取得部が取得した車両識別データによって識別される車両に対して、駐車場の利用を許可する利用制御部とを備える。
【００１９】
本発明の第３の形態によると、複数の各駐車場にそれぞれ設けられて、データ管理装置が管理しているデータに基づいて、当該駐車場における車両の利用を制御する利用制御装置を制御する制御方法であって、駐車場を利用する車両から、当該車両を識別する車両識別データを取得する車両識別データ取得段階と、駐車場の利用方法について、複数の駐車場のうち当該駐車場を含むグループ化された２つ以上の駐車場を利用することが選択された場合、車両識別データ取得段階において取得された車両識別データを、データ管理装置へ送信する車両識別データ送信段階と、データ管理装置から、車両に関するデータを受信する車両データ受信段階と、車両データ受信段階において受信されたデータに含まれている車両識別データと、車両識別データ取得段階において取得された車両識別データとが一致する場合、車両識別データ取得段階において取得された車両識別データによって識別される車両に対して、駐車場の利用を許可する利用制御段階とを備える。
【００２１】
本発明の第４の形態によると、複数の各駐車場にそれぞれ設けられて、データ管理装置が管理しているデータに基づいて、当該駐車場における車両の利用を制御する利用制御装置用のプログラムであって、利用制御装置を、駐車場を利用する車両から、当該車両を識別する車両識別データを取得する車両識別データ取得部、駐車場の利用方法について、複数の駐車場のうち当該駐車場を含むグループ化された２つ以上の駐車場を利用することが選択された場合、車両識別データ取得部が取得した車両識別データを、データ管理装置へ送信する車両識別データ送信部、データ管理装置から、車両に関するデータを受信する車両データ受信部、車両データ受信部が受信したデータに含まれている車両識別データと、車両識別データ取得部が取得した車両識別データとが一致する場合、車両識別データ取得部が取得した車両識別データによって識別される車両に対して、駐車場の利用を許可する利用制御部として機能させる。
【００２２】
なおまた、上記の発明の概要は、本発明の必要な特徴の全てを列挙したものではなく、これらの特徴群のサブコンビネーションもまた、発明となり得る。
【発明の効果】
【００２３】
以上の説明から明らかなように、この発明によれば、サービスの提供者は、周遊利用してほしい各スポットに設けられた２つ以上の駐車場をグループ化して、そのグループ化された２つ以上の駐車場を利用するための駐車料金を、最初に利用した駐車場でまとめて精算することができるサービスを提供することになる。このようなサービスによって、駐車場の利用者は、各スポットに設けられた駐車場を利用するための駐車料金を、最初に利用した駐車場でまとめて精算すれば、残りのスポットに設けられた駐車場を利用する際、駐車場への入庫手続や出庫手続等を行うことなく各駐車場を利用することができる。その結果、これらグループ化された各駐車場が設けられている各スポットにおいては、より一層、集客力の向上が期待されることになる。
【図面の簡単な説明】
【００２４】
【図１】一実施形態に係る駐車場利用管理システム１００の利用環境の一例を示す図である。
【図２】サーバ１１０のブロック構成の一例を示す図である。
【図３】ＤＳＲＣ入口路側コントローラ１３０ａのブロック構成の一例を示す図である。
【図４】ＤＳＲＣ出口路側コントローラ１５０ａのブロック構成の一例を示す図である。
【図５】駐車場端末１７０ａのブロック構成の一例を示す図である。
【図６】サーバ１１０の車両データ格納部１１１に格納されているデータの一例をテーブル形式で示す図である。
【図７】サーバ１１０の駐車場データ格納部１１２に格納されているデータの一例をテーブル形式で示す図である。
【図８】ＤＳＲＣ入口路側コントローラ１３０の車両データ格納部１３１に格納されているデータの一例をテーブル形式で示す図である。
【図９】ＤＳＲＣ出口路側コントローラ１５０の車両データ格納部１５１に格納されているデータの一例をテーブル形式で示す図である。
【図１０】駐車場端末１７０の車両データ格納部１７１に格納されているデータの一例をテーブル形式で示す図である。
【図１１】駐車場端末１７０の駐車場データ格納部１７２に格納されているデータの一例をテーブル形式で示す図である。
【図１２】駐車場端末１７０の道路交通情報データ格納部１７３に格納されているデータの一例をテーブル形式で示す図である。
【図１３】サーバ１１０、ＤＳＲＣ入口路側コントローラ１３０ａ、及び駐車場端末１７０ａの動作シーケンスの一例を示す。
【図１４】サーバ１１０、ＤＳＲＣ出口路側コントローラ１５０ａ、及び駐車場端末１７０ａの動作シーケンスの一例を示す。
【図１５】サーバ１１０、ＤＳＲＣ入口路側コントローラ１３０ａ、ＤＳＲＣ出口路側コントローラ１５０ａ、及び駐車場端末１７０ａの動作シーケンスの一例を示す図である。
【図１６】サーバ１１０、ＤＳＲＣ入口路側コントローラ１３０ａ、ＤＳＲＣ出口路側コントローラ１５０ａ、及び駐車場端末１７０ａの動作シーケンスの一例を示す図である。
【図１７】サーバ１１０、ＤＳＲＣ入口路側コントローラ１３０ｂ、及び駐車場端末１７０ｂの動作シーケンスの一例を示す。
【図１８】サーバ１１０、ＤＳＲＣ入口路側コントローラ１３０ｂ、ＤＳＲＣ出口路側コントローラ１５０ｂ、及び駐車場端末１７０ｂの動作シーケンスの一例を示す図である。
【図１９】サーバ１１０、ＤＳＲＣ入口路側コントローラ１３０ｂ、ＤＳＲＣ出口路側コントローラ１５０ｂ、及び駐車場端末１７０ｂの動作シーケンスの一例を示す図である。
【図２０】サーバ１１０、ＤＳＲＣ入口路側コントローラ１３０、ＤＳＲＣ出口路側コントローラ１５０、及び駐車場端末１７０をコンピュータ等の電子情報処理装置でそれぞれ構成した場合のハードウェア構成の一例を示す図である。
【発明を実施するための形態】
【００２５】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２６】
図１は、一実施形態に係る駐車場利用管理システム１００の利用環境の一例を示す。駐車場利用管理システム１００は、複数の駐車場における車両の利用を管理するシステムである。複数の駐車場は、例えば、ある街の市街地や観光地にあるレストランや百貨店、観光スポット等の各スポットに設けられた駐車場を指す。そして、駐車場利用管理システム１００を利用して提供されるサービスにおいては、周遊観光してほしい各スポットに設けられた駐車場２００ａ〜ｄ（以下、駐車場２００と総称する。）をグループ化する。そして、駐車場２００の利用者は、駐車場２００を利用するにあたり、グループ化された各駐車場２００ａ〜ｄを周有利用するか否かを選択することになる。なお、車両の入出庫は、この発明における「車両の利用」の一例であってよい。
【００２７】
駐車場利用管理システム１００は、サーバ１１０、複数のＤＳＲＣ入口路側コントローラ１３０ａ〜ｄ（以下、ＤＳＲＣ入口路側コントローラ１３０と総称する。）、複数のＤＳＲＣ出口路側コントローラ１５０ａ〜ｄ（以下、ＤＳＲＣ出口路側コントローラ１５０と総称する。）、複数の駐車場端末１７０ａ〜ｄ（以下、駐車場端末１７０と総称する。）、及び通信回線１９０を備える。なお、サーバ１１０は、この発明における「データ管理装置」の一例であってよい。また、ＤＳＲＣ入口路側コントローラ１３０、ＤＳＲＣ出口路側コントローラ１５０、及び駐車場端末１７０は、この発明における「利用制御装置」の機能を分散した一例であってよい。また、通信回線１９０は、インターネット等のコンピュータネットワーク、通信事業者のコアネットワーク、及び種々のローカルネットワークを含む。
【００２８】
サーバ１１０は、各ＤＳＲＣ入口路側コントローラ１３０、各ＤＳＲＣ出口路側コントローラ１５０、各駐車場端末１７０、及び道路交通情報サーバ１９１と通信回線１９０を介して通信接続されている。道路交通情報サーバ１９１は、道路交通情報の収集及び提供を行う装置である。なお、道路交通情報サーバ１９１は、この発明における「道路交通情報装置」の一例であってよい。
【００２９】
ＤＳＲＣ入口路側コントローラ１３０ａ〜ｄは、それぞれ駐車場２００ａ〜ｄの入口に設けられている。駐車場２００ａ〜ｄの入口には、それぞれ入口側車両検出装置１０２ａ〜ｄ（以下、入口側車両検出装置１０２と総称する。）、発券機１０３ａ〜ｄ（以下、発券機１０３と総称する。）、及び入口側ゲート機器１０４ａ〜ｄ（以下、入口側ゲート機器１０４と総称する。）が設けられている。入口側車両検出装置１０２は、駐車場２００の入口に近づいた車両を検出する装置である。発券機１０３は、駐車場の利用者に対して駐車券を発券する装置である。入口側ゲート機器１０４は、駐車場の入口においてゲートを開閉することによって、駐車場への車両の入場を規制する装置である。そして、ＤＳＲＣ入口路側コントローラ１３０ａ〜ｄは、それぞれ同じ駐車場２００ａ〜ｄの入口に設けられた入口側車両検出装置１０２ａ〜ｄ、発券機１０３ａ〜ｄ、及び入口側ゲート機器１０４ａ〜ｄと伝送器１９９ａ〜ｄを介して電気的に接続されている。また、ＤＳＲＣ入口路側コントローラ１３０ａ〜ｄは、それぞれ入口側アンテナ１０１ａ〜ｄ（以下、入口側アンテナ１０１と総称する。）と電気的に接続されている。入口側アンテナ１０１は、車両に設置されている車載器と無線通信を行う装置である。車載器は、無線により車載器ＩＤ（ｉｄｅｎｔｉｆｉｅｒ）データの送信、その他駐車場利用管理システム１００のサービスのために必要な情報を交信するために、車両のダッシュボードの上等に設置されている無線装置である。なお、車載器ＩＤデータは、この発明における「車両識別データ」の一例であってよい。
【００３０】
ＤＳＲＣ出口路側コントローラ１５０ａ〜ｄは、それぞれ駐車場２００ａ〜ｄの出口に設けられている。駐車場２００ａ〜ｄの出口には、それぞれ出口側車両検出装置１０６ａ〜ｄ（以下、出口側車両検出装置１０６と総称する。）、精算機１０７ａ〜ｄ（以下、精算機１０７と総称する。）、及び出口側ゲート機器１０８ａ〜ｄ（以下、出口側ゲート機器１０８と総称する。）が設けられている。出口側車両検出装置１０６は、駐車場２００の出口に近づいた車両を検出する装置である。精算機１０７は、駐車場の駐車料金を精算するための装置である。出口側ゲート機器１０８は、駐車場の出口においてゲートを開閉することによって、駐車場からの車両の出場を規制する装置である。そして、ＤＳＲＣ出口路側コントローラ１５０ａ〜ｄは、それぞれ同じ駐車場２００ａ〜ｄの出口に設けられた出口側路側検出装置１０６ａ〜ｄ、精算機１０７ａ〜ｄ、及び出口側ゲート機器１０８ａ〜ｄと伝送器１９９ａ〜ｄを介して電気的に接続されている。また、ＤＳＲＣ出口路側コントローラ１５０ａ〜ｄは、それぞれ出口側アンテナ１０５ａ〜ｄ（以下、出口側アンテナ１０５と総称する。）と電気的に接続されている。出口側アンテナ１０５は、車両に設置されている車載器と無線通信を行う装置である。また、ＤＳＲＣ出口路側コントローラ１５０ａ〜ｄは、それぞれ同じ駐車場２００ａ〜ｄに設けられた駐車場端末１７０ａ〜ｄと電気的に接続されている。
【００３１】
駐車場端末１７０ａ〜ｄは、それぞれ駐車場２００ａ〜ｄの出口に設けられている。駐車場２００ａ〜ｄの出口には、それぞれディスプレイ１０９ａ〜ｄ（以下、ディスプレイ１０９と総称する。）が設けられている。そして、駐車場端末１７０ａ〜ｄは、それぞれ同じ駐車場２００ａ〜ｄの出口に設けられたディスプレイ１０９ａ〜ｄと電気的に接続されている。ディスプレイ１０９は、文字や図形を表示する装置である。なお、ディスプレイ１０９は、この発明における「報知手段」の一例であってよい。
【００３２】
駐車場利用管理システム１００においては、ＤＳＲＣ出口路側コントローラ１５０は、駐車場２００の出口に近づいた車両を、出口側車両検出装置１０６が検出すると、その車両に設置されている車載器と出口側アンテナ１０５を介して交信して、その車両を識別するための車載器ＩＤデータを取得する。そして、ＤＳＲＣ出口路側コントローラ１５０は、駐車場２００の利用方法について、グループ化された各駐車場２００ａ〜ｄを利用することが精算機１０７によって選択された場合、その車両の車載器ＩＤデータを、サーバ１１０へ送信する。サーバ１１０は、車載器ＩＤデータを、ＤＳＲＣ出口路側コントローラ１５０から受信すると、その車載器ＩＤデータを少なくとも含む、その車載器ＩＤデータによって識別される車両に関するデータを、各ＤＳＲＣ入口路側コントローラ１３０ａ〜ｄ、各ＤＳＲＣ出口路側コントローラ１５０ａ〜ｄ、及び駐車場端末１７０ａ〜ｄへ配信する。各ＤＳＲＣ入口路側コントローラ１３０ａ〜ｄ、各ＤＳＲＣ出口路側コントローラ１５０ａ〜ｄ、及び各駐車場端末１７０ａ〜ｄは、車両に関するデータを、サーバ１１０から受信すると、記憶装置へ記憶する。そして、ＤＳＲＣ入口路側コントローラ１３０は、駐車場２００の入口に近づいた車両を、入口側車両検出装置１０２が検出すると、その車両に設置されている車載器と入口側アンテナ１０１を介して交信して、その車両を識別するための車載器ＩＤデータを取得する。そして、ＤＳＲＣ入口路側コントローラ１３０は、サーバ１１０から受信したデータに含まれている車載器ＩＤデータと、車載器から取得した車載器ＩＤデータとが一致する場合、駐車券を発券するよう発券機１０３を制御することなく、入口のゲートを開くよう入口側ゲート機器１０４を制御する。同様に、ＤＳＲＣ出口路側コントローラ１５０は、駐車場２００の出口に近づいた車両を、出口側車両検出装置１０６が検出すると、その車両に設置されている車載器と出口側アンテナ１０５を介して交信して、その車両を識別するための車載器ＩＤデータを取得する。そして、ＤＳＲＣ出口路側コントローラ１５０は、サーバ１１０から受信したデータに含まれている車載器ＩＤデータと、車載器から取得した車載器ＩＤデータとが一致する場合、駐車料金の支払いを促すよう精算機１０７を制御することなく、出口のゲートを開くよう出口側ゲート機器１０８を制御する。
【００３３】
このようにして、駐車場利用管理システム１００においては、駐車場２００の利用者は、グループ化された各駐車場２００ａ〜ｄを利用することを、精算機１０７によって選択しておけば、これらグループ化された各駐車場２００ａ〜ｄを利用するにあたり、駐車券を受け取ることなく入場することができ、駐車料金を毎回精算することなく出場することができる。
【００３４】
具体的には、ＤＳＲＣ出口路側コントローラ１５０は、駐車場２００の利用方法について、一の駐車場２００だけを利用するのか、又は、グループ化された各駐車場２００ａ〜ｄを利用するのか、いずれかの利用方法が選択されたのかを示すデータを、精算機１０７を介して取得する。そして、ＤＳＲＣ出口路側コントローラ１５０は、車両識別データを送信するにあたり、精算機１０７を介して取得したデータが、グループ化された各駐車場２００ａ〜ｄを利用することが選択されたことを示している場合に送信する。
【００３５】
また、駐車場利用管理システム１００においては、ＤＳＲＣ入口路側コントローラ１３０は、サーバ１１０から受信した車載器ＩＤデータと、車載器から取得した車載器ＩＤデータとが一致しない場合、車載器から取得した車載器ＩＤデータによって識別される車両に対して、駐車券を発券するよう発券機１０３を制御する。そして、ＤＳＲＣ入口路側コントローラ１３０は、発券機１０３から駐車券が抜き取られた後に、入口のゲートを開くよう入口側ゲート機器１０４を制御する。同様に、ＤＳＲＣ出口路側コントローラ１５０は、サーバ１１０から受信した車載器ＩＤデータと、車載器から取得した車載器ＩＤデータとが一致しない場合、車載器から取得した車載器ＩＤデータによって識別される車両に対して、駐車場２００の利用方法の選択を促すと共に、精算を促すよう精算機１０７を制御する。そして、ＤＳＲＣ出口路側コントローラ１５０は、精算機１０７によって精算処理が行われた後に、出口のゲートを開くよう出口側ゲート機器１０８を制御する。
【００３６】
このようにして、駐車場利用管理システム１００においては、グループ化された各駐車場２００ａ〜ｄを利用することを選択していない利用者は、駐車場２００を利用する度に、その駐車場２００を利用するための駐車券を受け取ってから駐車場２００へ入場し、その駐車場２００の駐車料金を精算してから駐車場２００を出場することになる。
【００３７】
また、駐車場利用管理システム１００においては、駐車場端末１７０は、サーバ１１０から受信した車載器ＩＤデータと、ＤＳＲＣ出口路側コントローラ１５０が車載器から取得した車載器ＩＤデータとが一致する場合、又は、精算機１０７を介して取得したデータが、グループ化された２つ以上の駐車場を利用することが選択されたことを示している場合、グループ化された各駐車場２００ａ〜ｄのうち、ＤＳＲＣ出口路側コントローラ１５０が車載器から取得した車載器ＩＤデータによって識別される車両が利用していない駐車場２００を選択する。そして、駐車場端末１７０は、選択した駐車場２００への案内を示すデータを生成する。そして、駐車場端末１７０は、選択した駐車場２００への案内が車両の搭乗者へ報知されるように、選択した駐車場２００への案内を示すデータを、ディスプレイ１０９へ出力する。
【００３８】
このようにして、駐車場利用管理システム１００においては、グループ化された各駐車場２００ａ〜ｄを利用することを選択した利用者は、これらグループ化された各駐車場２００ａ〜ｄのうち、未だ利用していない駐車場２００への案内を知ることもできる。
【００３９】
具体的には、サーバ１１０は、車両に関するデータを配信するにあたり、その車両が利用した駐車場を識別する駐車場ＩＤデータを更に含むデータを、各駐車場端末１７０ａ〜ｄへ配信する。各駐車場端末１７０ａ〜ｄは、車両に関するデータを受信するにあたり、その車両が利用した駐車場の駐車場ＩＤデータを更に含むデータを、サーバ１１０から受信すると、記憶装置に記憶する。そして、駐車場端末１７０は、駐車場を選択するにあたり、ＤＳＲＣ出口路側コントローラ１５０が車載器から取得した車載器ＩＤデータと、サーバ１１０から受信した車載器ＩＤデータ及び駐車場ＩＤデータとに基づいて選択する。
【００４０】
また、駐車場利用管理システム１００においては、駐車場端末１７０は、駐車場２００の混雑の度合いを算出する。そして、駐車場端末１７０は、算出した駐車場２００の混雑の度合いを示すデータを、サーバ１１０へ送信する。サーバ１１０は、駐車場２００の混雑の度合いを示すデータを、駐車場端末１７０から受信すると、そのデータを、各駐車場端末１７０ａ〜ｄへ配信する。各駐車場端末１７０ａ〜ｄは、駐車場２００の混雑の度合いを示すデータを、サーバ１１０から受信すると、記憶装置に記憶する。そして、駐車場端末１７０は、駐車場２００を選択するにあたり、サーバ１１０から受信したデータによって示される駐車場２００の混雑の度合いに基づいて選択する。
【００４１】
このようにして、駐車場利用管理システム１００においては、グループ化された各駐車場２００ａ〜ｄを利用することを選択した利用者は、これらグループ化された各駐車場２００ａ〜ｄのうち、未だ利用していない駐車場２００であって、なるべく混雑していない駐車場２００への案内を知ることもできる。
【００４２】
また、駐車場利用管理システム１００においては、サーバ１１０は、道路交通情報を示すデータを、道路交通情報サーバ１９１から受信すると、そのデータを、各駐車場端末１７０ａ〜ｄへ配信する。各駐車場端末１７０ａ〜ｄは、道路交通情報を示すデータを、サーバ１１０から受信すると、記憶装置に記憶する。そして、駐車場端末１７０は、駐車場２００を選択するにあたり、サーバ１１０から受信したデータによって示される道路交通情報に基づいて選択する。
【００４３】
このようにして、駐車場利用管理システム１００においては、グループ化された各駐車場２００ａ〜ｄを利用することを選択した利用者は、これらグループ化された各駐車場２００ａ〜ｄのうち、未だ利用していない駐車場２００であって、その駐車場２００までの道路がなるべく混雑していない駐車場２００への案内を知ることもできる。
【００４４】
また、駐車場利用管理システム１００においては、サーバ１１０は、グループ化された各駐車場２００ａ〜ｄの巡回すべき順序を示すデータの入力を、キーボードやマウス等の入力装置を介して受け付けると、そのデータを、各駐車場端末１７０ａ〜ｄへ配信する。各駐車場端末１７０ａ〜ｄは、グループ化された各駐車場２００ａ〜ｄの巡回すべき順序を示すデータを、サーバ１１０から受信すると、記憶装置に記憶する。そして、駐車場端末１７０は、駐車場を選択するにあたり、サーバ１１０から受信したデータによって示されるグループ化された各駐車場２００ａ〜ｄの巡回すべき順序に基づいて選択する。
【００４５】
このようにして、駐車場利用管理システム１００においては、グループ化された各駐車場２００ａ〜ｄを利用することを選択した利用者は、これらグループ化された各駐車場２００ａ〜ｄを、サービスの事業者が定めた順序に従って巡回することもできる。
【００４６】
なお、本実施形態においては、説明が煩雑になることを防ぐことを目的として、駐車場利用管理システム１００が一のサーバ１１０を備える構成について説明したが、駐車場利用管理システム１００は、複数のサーバ１１０を備えてよい。
【００４７】
図２は、サーバ１１０のブロック構成の一例を示す。サーバ１１０は、車両データ格納部１１１、駐車場データ格納部１１２、車両識別データ受信部１１３、車両データ配信部１１４、混雑度データ受信部１１５、混雑度データ配信部１１６、道路交通情報データ受信部１１７、道路交通情報データ配信部１１８、巡回順序データ入力受付部１１９、及び巡回順序データ配信部１２０を有する。以下、各構成要素の機能及び動作を説明する。
【００４８】
車両識別データ受信部１１３は、車載器ＩＤデータを、ＤＳＲＣ出口路側コントローラ１５０から受信する。具体的には、車両識別データ受信部１１３は、車載器ＩＤデータを、ＤＳＲＣ出口路側コントローラ１５０から受信すると、その車載器ＩＤデータと、その車載器ＩＤデータを送信してきたＤＳＲＣ出口路側コントローラ１５０が設けられている駐車場を識別する駐車場ＩＤデータとを対応付けて車両データ格納部１１１に格納する。
【００４９】
車両データ配信部１１４は、車両識別データ受信部１１３が受信した車載器ＩＤデータを少なくとも含む、車両に関するデータを、各ＤＳＲＣ入口路側コントローラ１３０ａ〜ｄ、各ＤＳＲＣ出口路側コントローラ１５０ａ〜ｄ、及び各駐車場端末１７０ａ〜ｄへ配信する。具体的には、車両データ配信部１１４は、車両データ格納部１１１に格納されているデータが更新されると、そのデータに関連する車載器ＩＤデータを少なくとも含む、車両に関するデータを、各ＤＳＲＣ入口路側コントローラ１３０ａ〜ｄ、各ＤＳＲＣ出口路側コントローラ１５０ａ〜ｄ、及び各駐車場端末１７０ａ〜ｄへ配信する。
【００５０】
なお、車両データ配信部１１４は、車両に関するデータを配信するにあたり、車載器ＩＤデータと共に、その車両が利用した駐車場の駐車場ＩＤデータを更に含むデータを、各駐車場端末１７０ａ〜ｄへ配信する。
【００５１】
混雑度データ受信部１１５は、駐車場２００の混雑の度合いを示すデータを、駐車場端末１７０から受信する。具体的には、混雑度データ受信部１１５は、駐車場２００の混雑の度合いを示すデータを駐車場端末１７０から受信すると、そのデータを、駐車場データ格納部１１２に格納する。
【００５２】
混雑度データ配信部１１６は、混雑度データ受信部１１５が受信した駐車場２００の混雑の度合いを示すデータを、各駐車場端末１７０ａ〜ｄへ配信する。具体的には、混雑度データ配信部１１６は、駐車場データ格納部１１２に格納されているレコードの駐車場２００の混雑の度合いを示すデータが更新されると、そのデータを、各駐車場端末１７０ａ〜ｄへ配信する。
【００５３】
道路交通情報データ受信部１１７は、道路交通情報を示すデータを、道路交通情報サーバ１９１から受信する。具体的には、道路交通情報データ受信部１１７は、道路交通情報を示すデータを道路交通情報サーバ１９１から受信すると、そのデータを、道路交通情報データ配信部１１８へ送る。
【００５４】
道路交通情報データ配信部１１８は、道路交通情報データ受信部１１７が受信した道路交通情報を示すデータを、各駐車場端末１７０ａ〜ｄへ配信する。具体的には、道路交通情報データ配信部１１８は、道路交通情報を示すデータを道路交通情報データ受信部１１７から受け取ると、そのデータを、各駐車場端末１７０ａ〜ｄへ配信する。
【００５５】
巡回順序データ入力受付部１１９は、グループ化された各駐車場２００ａ〜ｄの巡回すべき順序を示すデータの入力を受け付ける。具体的には、巡回順序データ入力受付部１１９は、グループ化された各駐車場２００ａ〜ｄの巡回すべき順序を示すデータの入力を、キーボードやマウス等の入力装置を介して受け付けると、そのデータを、駐車場データ格納部１１２に格納する。
【００５６】
巡回順序データ配信部１２０は、巡回順序データ入力受付部１１９が入力を受け付けたグループ化された各駐車場２００ａ〜ｄの巡回すべき順序を示すデータを、各駐車場端末１７０ａ〜ｄへ配信する。具体的には、巡回順序データ配信部１２０は、駐車場データ格納部１１２に格納されているグループ化された各駐車場２００ａ〜ｄの巡回すべき順序を示すデータが更新されると、そのデータを、各駐車場端末１７０ａ〜ｄへ配信する。
【００５７】
図３は、ＤＳＲＣ入口路側コントローラ１３０ａのブロック構成の一例を示す。ＤＳＲＣ入口路側コントローラ１３０ａは、車両データ格納部１３１ａ、車両データ受信部１３２ａ、車両検出データ入力受付部１３３ａ、要求データ送信部１３４ａ、車両識別データ取得部１３５ａ、車両識別データ判定部１３６ａ、利用制御部１３７ａ、発券データ入力受付部１３８ａ、及び通知データ送信部１３９ａを有する。以下、各構成要素の機能及び動作を説明する。
【００５８】
なお、ＤＳＲＣ入口路側コントローラ１３０ａ以外のＤＳＲＣ入口路側コントローラ１３０ｂ〜ｄも、ＤＳＲＣ入口路側コントローラ１３０ａが有する構成要素と同じ構成要素を有する。以後の説明においては、ＤＳＲＣ入口路側コントローラ１３０が有する構成要素がいずれのＤＳＲＣ入口路側コントローラ１３０の構成要素であるかを区別する場合には、各構成要素を有するＤＳＲＣ入口路側コントローラ１３０と同じ添え字（ａ〜ｄ）を各構成要素の末尾に付して区別する。例えば、車両データ格納部１３１ａ、車両データ格納部１３１ｂ、及び車両データ格納部１３１ｃは、それぞれＤＳＲＣ入口路側コントローラ１３０ａ、ＤＳＲＣ入口路側コントローラ１３０ｂ、及びＤＳＲＣ入口路側コントローラ１３０ｃの構成要素であることを示す。また、以後の説明において、添え字が付されていない構成要素の機能及び動作は、同じ符号が付されたいずれの構成要素の機能及び動作を示す。例えば、車両データ受信部１３２で説明された機能及び動作は、車両データ受信部１３２ａ〜ｄの機能及び動作を示す。
【００５９】
車両データ受信部１３２ａは、車両に関するデータを、サーバ１１０から受信する。具体的には、車両データ受信部１３２ａは、車両に関するデータを、サーバ１１０から受信すると、そのデータを、車両データ格納部１３１ａに格納する。
【００６０】
車両検出データ入力受付部１３３ａは、駐車場２００ａの入口に近づいた車両を検出したことを示すデータの入力を、入口側車両検出装置１０２ａから受け付ける。具体的には、車両検出データ入力受付部１３３ａは、駐車場２００ａの入口に近づいた車両を検出したことを示すデータの入力を、入口側車両検出装置１０２ａから伝送器１９９ａを介して受け付けると、その旨を通知するデータを、要求データ送信部１３４ａへ送る。
【００６１】
要求データ送信部１３４ａは、車両の車載器ＩＤデータを送信するよう要求する旨のデータを、駐車場２００ａの入口に近づいた車両に設置されている車載器へ送信する。具体的には、要求データ送信部１３４ａは、車両を検出したことを示すデータの入力を受け付けたことを通知するデータを、車両検出データ入力受付部１３３ａから受け取ると、車両の車載器ＩＤデータを送信するよう要求する旨のデータを、駐車場２００ａの入口に近づいた車両に設置されている車載器へ入口側アンテナ１０１ａを介して送信する。
【００６２】
車両識別データ取得部１３５ａは、駐車場２００ａを利用する車両から、車載器ＩＤデータを取得する。具体的には、車両識別データ取得部１３５ａは、駐車場２００ａの入口に近づいた車両に設置されている車載器から、入口側アンテナ１０１ａを介して車載器ＩＤデータを受信すると、そのデータを、車両識別データ判定部１３６ａへ送る。
【００６３】
車両識別データ判定部１３６ａは、車両データ受信部１３２ａが受信したデータに含まれている車載器ＩＤデータと、車両識別データ取得部１３５ａが取得した車載器ＩＤデータとが一致するか否かを判定する。具体的には、車両識別データ判定部１３６ａは、車載器ＩＤデータを、車両識別データ取得部１３５ａから受け取ると、車両データ格納部１３１ａに格納されている車載器ＩＤデータの中に、車両識別データ取得部１３５ａから受け取った車載器ＩＤデータと一致するものがあるか否かを判定する。そして、車両識別データ判定部１３６ａは、その判定結果を示すデータを、利用制御部１３７ａへ送る。
【００６４】
利用制御部１３７ａは、車両データ受信部１３２ａが受信したデータに含まれている車載器ＩＤデータと、車両識別データ取得部１３５ａが取得した車載器ＩＤデータとが一致する場合、車両識別データ取得部１３５ａが取得した車載器ＩＤデータによって識別される車両に対して、駐車場２００の利用を許可する。具体的には、利用制御部１３７ａは、一致するものがあるとの判定結果を示すデータを、車両識別データ判定部１３６ａから受け取ると、車両識別データ取得部１３５ａが取得した車載器ＩＤデータによって識別される車両に対して、駐車券を発券するよう発券機１０３ａを制御することなく、入口のゲートを開くよう入口側ゲート機器１０４ａを制御する。そして、利用制御部１３７ａは、入口のゲートを開くよう入口側ゲート機器１０４ａを制御したことを通知するデータを、通知データ送信部１３９ａへ送る。
【００６５】
なお、利用制御部１３７ａは、車両データ受信部１３２ａが受信したデータに含まれている車載器ＩＤデータと、車両識別データ取得部１３５ａが取得した車載器ＩＤデータとが一致しない場合、車両識別データ取得部１３５ａが取得した車載器ＩＤデータによって識別される車両に対して、駐車場２００ａを利用するための所定の手続がとられた後に、駐車場２００ａの利用を許可する。具体的には、利用制御部１３７ａは、一致するものがないとの判定結果を示すデータを、車両識別データ判定部１３６ａから受け取ると、車両識別データ取得部１３５ａが取得した車載器ＩＤデータによって識別される車両に対して、駐車券を発券するよう発券機１０３ａを制御する。そして、利用制御部１３７ａは、駐車券の発券処理が行われたことを通知するデータを、発券データ入力受付部１３８ａから受け取ると、入口のゲートを開くよう入口側ゲート機器１０４ａを制御する。そして、利用制御部１３７ａは、入口のゲートを開くよう入口側ゲート機器１０４ａを制御したことを通知するデータを、通知データ送信部１３９ａへ送る。
【００６６】
発券データ入力受付部１３８ａは、駐車券の発券処理が行われたことを通知するデータの入力を、発券機１０３ａから受け付ける。具体的には、発券データ入力受付部１３８ａは、駐車券の発券処理が行われたことを通知するデータの入力を、発券機１０３ａから受け付けると、そのデータを、利用制御部１３７ａへ送る。
【００６７】
通知データ送信部１３９ａは、入口のゲートを開くよう入口側ゲート機器１０４ａを制御したことを通知するデータを、駐車場端末１７０ａへ送信する。具体的には、通知データ送信部１３９ａは、入口のゲートを開くよう入口側ゲート機器１０４ａを制御したことを通知するデータを利用制御部１３７ａから受け取ると、そのデータを、駐車場端末１７０ａへ送信する。
【００６８】
図４は、ＤＳＲＣ出口路側コントローラ１５０ａのブロック構成の一例を示す。ＤＳＲＣ出口路側コントローラ１５０ａは、車両データ格納部１５１ａ、車両データ受信部１５２ａ、車両検出データ入力受付部１５３ａ、要求データ送信部１５４ａ、車両識別データ取得部１５５ａ、車両識別データ判定部１５６ａ、利用制御部１５７ａ、利用方法選択データ取得部１５８ａ、通知データ送信部１５９ａ、及び車両識別データ送信部１６０ａを有する。以下、各構成要素の機能及び動作を説明する。
【００６９】
なお、ＤＳＲＣ出口路側コントローラ１５０ａ以外のＤＳＲＣ出口路側コントローラ１５０ｂ〜ｄも、ＤＳＲＣ出口路側コントローラ１５０ａが有する構成要素と同じ構成要素を有する。以後の説明においては、ＤＳＲＣ出口路側コントローラ１５０が有する構成要素がいずれのＤＳＲＣ出口路側コントローラ１５０の構成要素であるかを区別する場合には、各構成要素を有するＤＳＲＣ出口路側コントローラ１５０と同じ添え字（ａ〜ｄ）を各構成要素の末尾に付して区別する。例えば、車両データ格納部１５１ａ、車両データ格納部１５１ｂ、及び車両データ格納部１５１ｃは、それぞれＤＳＲＣ出口路側コントローラ１５０ａ、ＤＳＲＣ入口路側コントローラ１５０ｂ、及びＤＳＲＣ入口路側コントローラ１５０ｃの構成要素であることを示す。また、以後の説明において、添え字が付されていない構成要素の機能及び動作は、同じ符号が付されたいずれの構成要素の機能及び動作を示す。例えば、車両データ受信部１５２で説明された機能及び動作は、車両データ受信部１５２ａ〜ｄの機能及び動作を示す。
【００７０】
車両データ受信部１５２ａは、車両に関するデータを、サーバ１１０から受信する。具体的には、車両データ受信部１５２ａは、車両に関するデータを、サーバ１１０から受信すると、そのデータを、車両データ格納部１５１ａに格納する。
【００７１】
車両検出データ入力受付部１５３ａは、駐車場２００ａの出口に近づいた車両を検出したことを示すデータの入力を、出口側車両検出装置１０６ａから受け付ける。具体的には、車両検出データ入力受付部１５３ａは、駐車場２００ａの出口に近づいた車両を検出したことを示すデータの入力を、出口側車両検出装置１０６ａから伝送器１９９ａを介して受け付けると、その旨を通知するデータを、要求データ送信部１５４ａへ送る。
【００７２】
要求データ送信部１５４ａは、車載器ＩＤデータを送信するよう要求する旨のデータを、駐車場２００ａの出口に近づいた車両に設置されている車載器へ送信する。具体的には、要求データ送信部１５４ａは、車両を検出したことを示すデータの入力を受け付けたことを通知するデータを、車両検出データ入力受付部１５３ａから受け取ると、車載器ＩＤデータを送信するよう要求する旨のデータを、駐車場２００ａの出口に近づいた車両に設置されている車載器へ出口側アンテナ１０５ａを介して送信する。
【００７３】
車両識別データ取得部１５５ａは、駐車場２００ａを利用する車両から、車載器ＩＤデータを取得する。具体的には、車両識別データ取得部１５５ａは、駐車場２００ａの出口に近づいた車両に設置されている車載器から、出口側アンテナ１０５ａを介して車載器ＩＤデータを受信すると、そのデータを、車両識別データ判定部１５６ａ及び車両識別データ送信部１６０ａへ送る。
【００７４】
車両識別データ判定部１５６ａは、車両データ受信部１５２ａが受信した車載器ＩＤデータと、車両識別データ取得部１５５ａが取得した車載器ＩＤデータとが一致するか否かを判定する。具体的には、車両識別データ判定部１５６ａは、車載器ＩＤデータを、車両識別データ取得部１５５ａから受け取ると、車両データ格納部１５１ａに格納されている車載器ＩＤデータの中に、車両識別データ取得部１５５ａから受け取った車載器ＩＤデータと一致するものがあるか否かを判定する。そして、車両識別データ判定部１５６ａは、その判定結果を示すデータを、利用制御部１５７ａ及び車両識別データ送信部１６０ａへ送る。
【００７５】
利用制御部１５７ａは、車両データ受信部１５２ａが受信した車載器ＩＤデータと、車両識別データ取得部１５５ａが取得した車載器ＩＤデータとが一致する場合、車両識別データ取得部１５５ａが取得した車載器ＩＤデータによって識別される車両に対して、駐車場２００ａの利用を許可する。具体的には、利用制御部１５７ａは、一致するものがあるとの判定結果を示すデータを、車両識別データ判定部１５６ａから受け取ると、駐車料金の支払いを促すよう精算機１０７ａを制御することなく、出口のゲートを開くよう出口側ゲート機器１０８ａを制御する。そして、利用制御部１５７ａは、出口のゲートを開くよう出口側ゲート機器１０８ａを制御したことを示すデータを、通知データ送信部１５９ａへ送る。
【００７６】
なお、利用制御部１５７ａは、車両データ受信部１５２ａが受信したデータに含まれている車載器ＩＤデータと、車両識別データ取得部１５５ａが取得した車載器ＩＤデータとが一致しない場合、車両識別データ取得部１５５ａが取得した車載器ＩＤデータによって識別される車両に対して、駐車場２００ａを利用するための所定の手続がとられた後に、駐車場２００ａの利用を許可する。具体的には、利用制御部１５７ａは、一致するものがないとの判定結果を示すデータを、車両識別データ判定部１５６ａから受け取ると、車両識別データ取得部１５５ａが取得した車載器ＩＤデータによって識別される車両に対して、駐車場２００ａの利用方法について、駐車場２００ａだけを利用するか、グループ化された各駐車場２００ａ〜ｄを利用するか、いずれかの利用方法の選択を促すよう精算機１０７ａを制御する。そして、利用制御部１５７ａは、駐車場２００ａの利用方法が選択されたことを示すデータを、利用方法選択データ取得部１５８ａから受け取ると、出口のゲートを開くよう出口側ゲート機器１０８ａを制御する。そして、利用制御部１５７ａは、出口のゲートを開くよう出口側ゲート機器１０８ａを制御したことを通知するデータを、通知データ送信部１５９ａへ送る。
【００７７】
利用方法選択データ取得部１５８ａは、駐車場２００ａの利用方法について、駐車場２００ａだけを利用するか、又は、グループ化された各駐車場２００ａ〜ｄを利用するか、いずれの利用方法が選択されたのかを示すデータの入力を、精算機１０７ａから受け付ける。具体的には、利用方法選択データ取得部１５８ａは、駐車場２００ａの利用方法について、駐車場２００ａだけを利用するか、又は、グループ化された各駐車場２００ａ〜ｄを利用するか、いずれの利用方法が選択されたのかを示すデータの入力を、精算機１０７ａから受け付けると、そのデータを、車両識別データ送信部１６０ａへ送る。そして、利用方法選択データ取得部１５８ａは、駐車場２００ａの利用方法が選択されたことを示すデータを、利用制御部１５７ａへ送る。
【００７８】
通知データ送信部１５９ａは、出口のゲートを開くよう出口側ゲート機器１０８ａを制御したことを通知するデータを、駐車場端末１７０ａへ送信する。具体的には、通知データ送信部１５９ａは、出口のゲートを開くよう出口側ゲート機器１０８ａを制御したことを通知するデータを利用制御部１５７ａから受け取ると、そのデータを、駐車場端末１７０ａへ送信する。
【００７９】
車両識別データ送信部１６０ａは、駐車場２００ａを利用する車両について、グループ化された各駐車場２００ａ〜ｄを利用することが選択された場合、車両識別データ取得部１５５ａが受信した車載器ＩＤデータを、サーバ１１０及び駐車場端末１７０ａへ送信する。具体的には、車両識別データ送信部１６０ａは、車載器ＩＤデータを、車両識別データ取得部１５５ａから受け取る。そして、車両識別データ送信部１６０ａは、駐車場２００ａを利用する車両について、グループ化された各駐車場２００ａ〜ｄを利用することが選択されたことを示すデータを、利用方法選択データ取得部１５８ａから受け取ると、車両識別データ取得部１５５ａから受け取った車載器ＩＤデータを、サーバ１１０及び駐車場端末１７０ａへ送信する。
【００８０】
また、車両識別データ送信部１６０ａは、車両データ受信部１５２ａが受信した車載器ＩＤデータと、車両識別データ取得部１５５ａが取得した車載器ＩＤデータとが一致する場合、車両識別データ取得部１５５ａが受信した車載器ＩＤデータを、駐車場端末１７０ａへ送信する。具体的には、車両識別データ送信部１６０ａは、一致するものがあるとの判定結果を示すデータを、車両識別データ判定部１５６ａから受け取ると、車両識別データ取得部１５５ａから受け取った車載器ＩＤデータを、駐車場端末１７０ａへ送信する。
【００８１】
図５は、駐車場端末１７０ａのブロック構成の一例を示す。駐車場端末１７０ａは、車両データ格納部１７１ａ、駐車場データ格納部１７２ａ、道路交通情報データ格納部１７３ａ、地図データ格納部１７４ａ、車両データ受信部１７５ａ、通知データ受信部１７６ａ、混雑度算出部１７７ａ、混雑度データ送信部１７８ａ、混雑度データ受信部１７９ａ、道路交通情報データ受信部１８０ａ、巡回順序データ受信部１８１ａ、車両識別データ受信部１８２ａ、駐車場選択部１８３ａ、案内データ生成部１８４ａ、及び案内データ出力部１８５ａを有する。以下、各構成要素の機能及び動作を説明する。
【００８２】
なお、駐車場端末１７０ａ以外の駐車場端末１７０ｂ〜ｄも、駐車場端末１７０ａが有する構成要素と同じ構成要素を有する。以後の説明においては、駐車場端末１７０が有する構成要素がいずれの駐車場端末１７０の構成要素であるかを区別する場合には、各構成要素を有する駐車場端末１７０と同じ添え字（ａ〜ｄ）を各構成要素の末尾に付して区別する。例えば、車両データ格納部１７１ａ、車両データ格納部１７１ｂ、及び車両データ格納部１７１ｃは、それぞれ駐車場端末１７０ａ、駐車場端末１７０ｂ、及び駐車場端末１７０ｃの構成要素であることを示す。また、以後の説明において、添え字が付されていない構成要素の機能及び動作は、同じ符号が付されたいずれの構成要素の機能及び動作を示す。例えば、車両データ受信部１７５で説明された機能及び動作は、車両データ受信部１７５ａ〜ｄの機能及び動作を示す。
【００８３】
車両データ受信部１７５ａは、車両に関するデータを、サーバ１１０から受信する。具体的には、車両データ受信部１３２ａは、車両に関するデータを、サーバ１１０から受信すると、そのデータを、車両データ格納部１７１ａに格納する。
【００８４】
通知データ受信部１７６ａは、入口のゲートを開くよう入口側ゲート機器１０４ａを制御したことを通知するデータを、ＤＳＲＣ入口路側コントローラ１３０ａから受信する。具体的には、通知データ受信部１７６ａは、入口のゲートを開くよう入口側ゲート機器１０４ａを制御したことを通知するデータを、ＤＳＲＣ入口路側コントローラ１３０ａから受信すると、そのデータを、混雑度算出部１７７ａへ送る。
【００８５】
また、通知データ受信部１７６ａは、出口のゲートを開くよう出口側ゲート機器１０８ａを制御したことを通知するデータを、ＤＳＲＣ出口路側コントローラ１５０ａから受信する。具体的には、通知データ受信部１７６ａは、出口のゲートを開くよう出口側ゲート機器１０８ａを制御したことを通知するデータを、ＤＳＲＣ出口路側コントローラ１５０ａから受信すると、そのデータを、混雑度算出部１７７ａへ送る。
【００８６】
混雑度算出部１７７ａは、駐車場２００ａの混雑の度合いを算出する。具体的には、混雑度算出部１７７ａは、入口のゲートを開くよう入口側ゲート機器１０４ａを制御したことを通知するデータを、通知データ受信部１７６ａから受け取る。また、混雑度算出部１７７ａは、出口のゲートを開くよう出口側ゲート機器１０８ａを制御したことを通知するデータを、通知データ受信部１７６ａから受け取る。そして、混雑度算出部１７７ａは、これら受け取ったデータに基づいて、駐車場２００ａの混雑の度合いを算出する。そして、混雑度算出部１７７ａは、算出した駐車場２００ａの混雑の度合いを示すデータを、混雑度データ送信部１７８ａへ送る。
【００８７】
混雑度データ送信部１７８ａは、混雑度算出部１７７ａが算出した駐車場２００ａの混雑の度合いを示すデータを、サーバ１１０へ送信する。具体的には、混雑の度合いを示すデータを、混雑度算出部１７７ａから受け取ると、そのデータを、サーバ１１０へ送信する。
【００８８】
混雑度データ受信部１７９ａは、サーバ１１０から配信された、駐車場２００の混雑の度合いを示すデータを受信する。具体的には、混雑度データ受信部１７９ａは、駐車場２００の混雑の度合いを示すデータを、サーバ１１０から受信すると、そのデータを、駐車場データ格納部１７２ａに格納する。
【００８９】
道路交通情報データ受信部１８０ａは、サーバ１１０から配信された、道路交通情報を示すデータを受信する。具体的には、道路交通情報データ受信部１８０ａは、道路交通情報を示すデータを、サーバ１１０から受信すると、そのデータを、道路交通情報データ格納部１７３ａに格納する。
【００９０】
巡回順序データ受信部１８１ａは、サーバ１１０から配信された、グループ化された各駐車場２００ａ〜ｄの巡回すべき順序を示すデータを受信する。具体的には、巡回順序データ受信部１８１ａは、グループ化された駐車場２００ａ〜ｄの巡回すべき順序を示すデータを、サーバ１１０から受信すると、そのデータを、駐車場データ格納部１７２ａに格納する。
【００９１】
車両識別データ受信部１８２ａは、ＤＳＲＣ出口路側コントローラ１５０ａから送信された、車載器ＩＤデータを受信する。具体的には、車両識別データ受信部１８２ａは、車載器ＩＤデータを、ＤＳＲＣ出口路側コントローラ１５０ａから受信すると、そのデータを、駐車場選択部１８３ａへ送る。
【００９２】
駐車場選択部１８３ａは、ＤＳＲＣ出口路側コントローラ１５０ａの車両識別データ受信部１５２ａが受信した車載器ＩＤデータと、ＤＳＲＣ出口路側コントローラ１５０ａの車両識別データ取得部１５５ａが取得した車載器ＩＤデータとが一致する場合、又は、ＤＳＲＣ出口路側コントローラ１５０ａの利用方法選択データ取得部１５８ａが取得したデータが、グループ化された２つ以上の駐車場を利用することが選択されたことを示している場合、グループ化された各駐車場２００ａ〜ｄのうち、ＤＳＲＣ出口路側コントローラ１５０ａが取得した車載器ＩＤデータによって識別される車両が利用していない駐車場２００を選択する。具体的には、駐車場選択部１８３ａは、車載器ＩＤデータを、車両識別データ受信部１８２ａから受け取ると、車両データ格納部１７１ａに格納されているデータのうち、車両識別データ受信部１８２ａから受け取った車載器ＩＤデータと一致するデータを特定する。そして、駐車場選択部１８３ａは、グループ化された駐車場２００ａ〜ｄのうち、特定したデータに格納されている駐車場２００の駐車場ＩＤデータによって識別される駐車場２００以外の駐車場２００を選択する。そして、駐車場選択部１８３ａは、選択した駐車場２００を示すデータを、案内データ生成部１８４ａへ送る。
【００９３】
また、駐車場選択部１８３ａは、駐車場２００を選択するにあたり、混雑度データ受信部１７９ａが受信したデータによって示される駐車場２００の混雑の度合いに更に基づいて選択する。具体的には、駐車場選択部１８３ａは、上記のように、車両データ格納部１７１ａに格納されているレコードを特定すると、グループ化された駐車場２００ａ〜ｄのうち、特定したレコードに格納されている駐車場２００の駐車場ＩＤデータによって識別される駐車場２００以外の駐車場２００を、駐車場データ格納部１７２ａに格納されているデータによって示される各駐車場２００の混雑の度合いに基づいて選択する。
【００９４】
また、駐車場選択部１８３ａは、駐車場２００を選択するにあたり、道路交通情報データ受信部１８０ａが受信したデータによって示される道路交通情報に更に基づいて選択する。具体的には、駐車場選択部１８３ａは、上記のように、車両データ格納部１７１ａに格納されているレコードを特定すると、グループ化された駐車場２００ａ〜ｄのうち、特定したレコードに格納されている駐車場２００の駐車場ＩＤデータによって識別される駐車場２００以外の駐車場２００を、道路交通情報データ格納部１７３ａに格納されているデータによって示される道路交通情報に更に基づいて選択する。
【００９５】
また、駐車場選択部１８３ａは、駐車場２００を選択するにあたり、巡回順序データ受信部１８１ａが受信したデータによって示されるグループ化された各駐車場２００ａ〜ｄの巡回すべき順序に更に基づいて選択する。具体的には、駐車場選択部１８３ａは、上記のように、車両データ格納部１７１ａに格納されているレコードを特定すると、グループ化された駐車場２００ａ〜ｄのうち、特定したレコードに格納されている駐車場２００の駐車場ＩＤデータによって識別される駐車場２００以外の駐車場２００を、駐車場データ格納部１７２ａに格納されているデータによって示されるグループ化された各駐車場２００ａ〜ｄの巡回すべき順序に更に基づいて選択する。
【００９６】
案内データ生成部１８４ａは、駐車場選択部１８３ａが選択した駐車場２００への案内を示すデータを生成する。具体的には、案内データ生成部１８４ａは、選択された駐車場２００を示すデータを、駐車場選択部１８３ａから受け取ると、そのデータによって示される選択された駐車場２００への案内を示すデータを、地図データ格納部１７４ａに格納されている地図データに基づいて生成する。そして、案内データ生成部１８４ａは、生成した駐車場２００への案内を示すデータを、案内データ出力部１８５ａへ出力する。
【００９７】
案内データ出力部１８５ａは、ディスプレイ１０９ａへ、案内データ生成部１８４ａが生成したデータを出力する。具体的には、案内データ出力部１８５ａは、駐車場２００への案内を示すデータを、案内データ生成部１８４ａから受け取ると、そのデータを、ディスプレイ１０９ａへ出力する。
【００９８】
図６は、サーバ１１０の車両データ格納部１１１に格納されているデータの一例をテーブル形式で示す。車両データ格納部１１１には、車載器ＩＤ及び駐車場ＩＤが対応付けて格納されている。
【００９９】
車載器ＩＤは、グループ化された各駐車場２００ａ〜ｄを利用するための駐車料金が支払われた対象の車両の中で、各車両を一意に識別するための識別符号であってよい。駐車場ＩＤは、グループ化された各駐車場２００ａ〜ｄの中で、車載器ＩＤによって識別される車両が利用した駐車場２００を一意に識別するための識別符号であってよい。
【０１００】
図７は、サーバ１１０の駐車場データ格納部１１２に格納されているデータの一例をテーブル形式で示す。駐車場データ格納部１１２には、駐車場ＩＤ、空数、及び巡回順序が対応付けて格納されている。
【０１０１】
駐車場ＩＤは、グループ化された駐車場２００ａ〜ｄの中で、各駐車場２００を一意に識別するための識別符号であってよい。空数は、駐車場ＩＤによって識別される駐車場２００の空スペースの数を示す値であってよい。巡回順序は、駐車場ＩＤによって識別される駐車場２００を巡回すべき順序を示す値であってよい。
【０１０２】
図８は、ＤＳＲＣ入口路側コントローラ１３０の車両データ格納部１３１に格納されているデータの一例をテーブル形式で示す。車両データ格納部１３１には、車載器ＩＤが格納されている。
【０１０３】
車載器ＩＤは、グループ化された各駐車場２００ａ〜ｄを利用するための駐車料金が支払われた対象の車両の中で、各車両を一意に識別するための識別符号であってよい。
【０１０４】
図９は、ＤＳＲＣ出口路側コントローラ１５０の車両データ格納部１５１に格納されているデータの一例をテーブル形式で示す。車両データ格納部１５１には、車載器ＩＤが格納されている。
【０１０５】
車載器ＩＤは、グループ化された各駐車場２００ａ〜ｄを利用するための駐車料金が支払われた対象の車両の中で、各車両を一意に識別するための識別符号であってよい。
【０１０６】
図１０は、駐車場端末１７０の車両データ格納部１７１に格納されているデータの一例をテーブル形式で示す。車両データ格納部１７１には、車載器ＩＤ及び駐車場ＩＤが対応付けて格納されている。
【０１０７】
車載器ＩＤは、グループ化された各駐車場２００ａ〜ｄを利用するための駐車料金が支払われた対象の車両の中で、各車両を一意に識別するための識別符号であってよい。駐車場ＩＤは、グループ化された各駐車場２００ａ〜ｄの中で、車載器ＩＤによって識別される車両が利用した駐車場２００を一意に識別するための識別符号であってよい。
【０１０８】
図１１は、駐車場端末１７０の駐車場データ格納部１７２に格納されているデータの一例をテーブル形式で示す。駐車場データ格納部１７２には、駐車場ＩＤ、空数、及び巡回順序が対応付けて格納されている。
【０１０９】
駐車場ＩＤは、グループ化された駐車場２００ａ〜ｄの中で、各駐車場２００を一意に識別するための識別符号であってよい。空数は、駐車場ＩＤによって識別される駐車場２００の空スペースの数を示す値であってよい。巡回順序は、駐車場ＩＤによって識別される駐車場２００を巡回すべき順序を示す値であってよい。
【０１１０】
図１２は、駐車場端末１７０の道路交通情報データ格納部１７３に格納されているデータの一例をテーブル形式で示す。道路交通情報データ格納部１７３は、道路名、方向、渋滞長（ｋｍ）、渋滞発生区間、及び所要時間（分）が対応付けて格納されている。
【０１１１】
道路名は、各道路の名称であってよい。方向は、道路の上り、下り、内回り、又は外回りを示す情報であってよい。渋滞長（ｋｍ）は、渋滞の長さ（ｋｍ）を示す値であってよい。渋滞発生区間は、渋滞が発生している区間の先頭の場所と末尾の場所を示す情報であってよい。所要時間（分）は、渋滞が発生している区間を通過するために必要とされる予想時間（分）を示す値であってよい。
【０１１２】
図１３は、サーバ１１０、ＤＳＲＣ入口路側コントローラ１３０ａ、及び駐車場端末１７０ａの動作シーケンスの一例を示す。この動作シーケンスの説明においては、図１から図１２を共に参照する。
【０１１３】
この動作シーケンスにおいては、車載器ＩＤ「Ｃ０４１５」の車両が、グループ化された駐車場２００を初めて利用する例であって、駐車場ＩＤ「２００ａ」の駐車場２００ａへ入場する例について説明する。
【０１１４】
なお、サーバ１１０の車両データ格納部１１１には、図６に示すようなデータが格納されているものとする。また、サーバ１１０の駐車場データ格納部１１２には、図７に示すようなデータが格納されているものとする。また、ＤＳＲＣ入口路側コントローラ１３０ａの車両データ格納部１３１ａには、図８に示すようなデータが格納されているものとする。また、駐車場端末１７０ａの車両データ格納部１７１ａには、図１０に示すようなデータが格納されているものとする。また、駐車場端末１７０ａの駐車場データ格納部１７２ａには、図１１に示すようなデータが格納されているものとする。また、駐車場端末１７０ａの道路交通情報データ格納部１７３ａには、図１２に示すようなデータが格納されているものとする。但し、この例においては、車載器ＩＤ「Ｃ０４１５」の車両が、グループ化された駐車場２００を初めて利用することとしているので、サーバ１１０の車両データ格納部１１１、ＤＳＲＣ入口路側コントローラ１３０ａの車両データ格納部１３１ａ、及び駐車場端末１７０ａの車両データ格納部１７１ａには、車載器ＩＤ「Ｃ０４１５」に関するレコードは格納されていないものとする。
【０１１５】
駐車場２００ａの入口に車載器ＩＤ「Ｃ０４１５」の車両が近づくと、入口側車両検出装置１０２ａは、この車両を検出する。そして、入口側車両検出装置１０２ａは、駐車場２００ａの入口に近づいた車両を検出したことを示すデータを、ＤＳＲＣ入口路側コントローラ１３０ａへ伝送器１９９ａを介して出力する。ＤＳＲＣ入口路側コントローラ１３０ａの車両検出データ入力受付部１３３ａは、駐車場２００ａの入口に近づいた車両を検出したことを示すデータの入力を、入口側車両検出装置１０２ａから伝送器１９９ａを介して受け付けると（Ｓ１０１）、その旨を通知するデータを、要求データ送信部１３４ａへ送る。
【０１１６】
そして、ＤＳＲＣ入口路側コントローラ１３０ａの要求データ送信部１３４ａは、車載器ＩＤデータを送信するよう要求する旨のデータを、駐車場２００ａの入口に近づいた車両に設置されている車載器へ入口側アンテナ１０１ａを介して送信する（Ｓ１０２）。
【０１１７】
そして、ＤＳＲＣ入口路側コントローラ１３０ａの車両識別データ取得部１３５ａは、車載器ＩＤ「Ｃ０４１５」を、駐車場２００ａの入口に近づいた車両に設置されている車載器から入口側アンテナ１０１ａを介して受信すると（Ｓ１０３）、そのデータを、車両識別データ判定部１３６ａへ送る。
【０１１８】
そして、ＤＳＲＣ入口路側コントローラ１３０ａの車両識別データ判定部１３６ａは、車両データ格納部１３１ａに格納されている車載器ＩＤの中に、車両識別データ取得部１３５ａから受け取った車載器ＩＤ「Ｃ０４１５」と一致するものがあるか否かを判定する（Ｓ１０４）。この例の場合には、車両データ格納部１３１ａに格納されている車載器ＩＤの中に、車両識別データ取得部１３５ａから受け取った車載器ＩＤ「Ｃ０４１５」と一致するものがない。したがって、車両識別データ判定部１３６ａは、一致するものがないとの判定結果を示すデータを、利用制御部１３７ａへ送る。
【０１１９】
そして、ＤＳＲＣ入口路側コントローラ１３０ａの利用制御部１３７ａは、駐車券を発券するよう発券機１０３ａを制御する（Ｓ１０５）。このようにして、発券機１０３ａは、駐車場２００ａへ入場するための駐車券を発券することになる。
【０１２０】
そして、車載器ＩＤ「Ｃ０４１５」の車両の搭乗者が駐車券を受け取ると、発券機１０３ａは、駐車券の発券処理が行われたことを通知するデータを、ＤＳＲＣ入口路側コントローラ１３０ａへ伝送器１９９ａを介して出力する。そして、ＤＳＲＣ入口路側コントローラ１３０ａの発券データ入力受付部１３８ａは、駐車券の発券処理が行われたことを通知するデータの入力を、発券機１０３ａから受け付けると（Ｓ１０６）、そのデータを、利用制御部１３７ａへ送る。
【０１２１】
そして、ＤＳＲＣ入口路側コントローラ１３０ａの利用制御部１３７ａは、入口のゲートを開くよう入口側ゲート機器１０４ａを制御する（Ｓ１０７）。このようにして、入口側ゲート機器１０４ａは、入口のゲートを開くことになる。そして、利用制御部１３７ａは、入口のゲートを開くよう入口側ゲート機器１０４ａを制御したことを通知するデータを、通知データ送信部１３９ａへ送る。
【０１２２】
そして、ＤＳＲＣ入口路側コントローラ１３０ａの通知データ送信部１３９ａは、入口のゲートを開くよう入口側ゲート機器１０４ａが制御されたことを通知するデータを、駐車場端末１７０ａへ送信する（Ｓ１０８）。駐車場端末１７０ａの通知データ受信部１７６ａは、入口のゲートを開くよう入口側ゲート機器１０４ａを制御したことを通知するデータを、ＤＳＲＣ入口路側コントローラ１３０ａから受信すると、そのデータを、混雑度算出部１７７ａへ送る。
【０１２３】
そして、駐車場端末１７０ａの混雑度算出部１７７ａは、受け取ったデータに基づいて、駐車場２００ａの空数を算出する（Ｓ１０９）。この例の場合には、駐車場２００ａに１台の車両が入場したことになるので、駐車場２００ａの空数を「１」減算する。そして、混雑度算出部１７７ａは、算出した駐車場２００ａの空数を示すデータを、混雑度データ送信部１７８ａへ送る。
【０１２４】
そして、駐車場端末１７０ａの混雑度データ送信部１７８ａは、駐車場２００ａの空数を示すデータを、サーバ１１０へ送信する（Ｓ１１０）。そして、サーバ１１０の混雑度データ受信部１１５は、受信した駐車場２００ａの空数を示すデータを、駐車場データ格納部１１２に格納する。
【０１２５】
そして、サーバ１１０の混雑度データ配信部１１６は、駐車場２００ａの空数を示すデータを、各駐車場端末１７０ａ〜ｄへ配信する（Ｓ１１１）。そして、各駐車場端末１７０ａ〜ｄの混雑度データ受信部１７９は、サーバ１１０から受信した駐車場２００ａの空数を示すデータを、駐車場データ格納部１７２に格納する。
【０１２６】
このように、駐車場利用管理システム１００においては、グループ化された駐車場２００を初めて利用する場合、これらの駐車場２００に入場するにあたり、発券機１０３によって駐車券が発券されることになる。
【０１２７】
図１４は、サーバ１１０、ＤＳＲＣ出口路側コントローラ１５０ａ、及び駐車場端末１７０ａの動作シーケンスの一例を示す。この動作シーケンスの説明においては、図１から図１２を共に参照する。
【０１２８】
この動作シーケンスにおいては、車載器ＩＤ「Ｃ０４１５」の車両が、グループ化された駐車場２００を初めて利用する例であって、駐車場ＩＤ「２００ａ」の駐車場２００ａから出場する際に、駐車場２００ａの駐車料金だけを精算する例について説明する。
【０１２９】
なお、サーバ１１０の車両データ格納部１１１には、図６に示すようなデータが格納されているものとする。また、サーバ１１０の駐車場データ格納部１１２には、図７に示すようなデータが格納されているものとする。また、ＤＳＲＣ出口路側コントローラ１５０ａの車両データ格納部１５１ａには、図９に示すようなデータが格納されているものとする。また、駐車場端末１７０ａの車両データ格納部１７１ａには、図１０に示すようなデータが格納されているものとする。また、駐車場端末１７０ａの駐車場データ格納部１７２ａには、図１１に示すようなデータが格納されているものとする。また、駐車場端末１７０ａの道路交通情報データ格納部１７３ａには、図１２に示すようなデータが格納されているものとする。但し、この例においては、車載器ＩＤ「Ｃ０４１５」の車両が、グループ化された駐車場２００を初めて利用することとしているので、サーバ１１０の車両データ格納部１１１、ＤＳＲＣ出口路側コントローラ１５０ａの車両データ格納部１５１ａ、及び駐車場端末１７０ａの車両データ格納部１７１ａには、車載器ＩＤ「Ｃ０４１５」に関するレコードは格納されていないものとする。
【０１３０】
駐車場２００ａの出口に車載器ＩＤ「Ｃ０４１５」の車両が近づくと、出口側車両検出装置１０６ａは、この車両を検出する。そして、出口側車両検出装置１０６ａは、駐車場２００ａの出口に近づいた車両を検出したことを示すデータを、ＤＳＲＣ出口路側コントローラ１５０ａへ伝送器１９９ａを介して出力する。ＤＳＲＣ出口路側コントローラ１５０ａの車両検出データ入力受付部１５３ａは、駐車場２００ａの出口に近づいた車両を検出したことを示すデータの入力を、出口側車両検出装置１０６ａから伝送器１９９ａを介して受け付けると（Ｓ２０１）、その旨を通知するデータを、要求データ送信部１５４ａへ送る。
【０１３１】
そして、ＤＳＲＣ出口路側コントローラ１５０ａの要求データ送信部１５４ａは、車載器ＩＤデータを送信するよう要求する旨のデータを、駐車場２００ａの出口に近づいた車両に設置されている車載器へ出口側アンテナ１０５ａを介して送信する（Ｓ２０２）。
【０１３２】
そして、ＤＳＲＣ出口路側コントローラ１５０ａの車両識別データ取得部１５５ａは、車載器ＩＤ「Ｃ０４１５」を、駐車場２００ａの出口に近づいた車両に設置されている車載器から出口側アンテナ１０５ａを介して受信すると（Ｓ２０３）、そのデータを、車両識別データ判定部１５６ａ及び車両識別データ送信部１６０ａへ送る。
【０１３３】
そして、ＤＳＲＣ出口路側コントローラ１５０ａの車両識別データ判定部１５６ａは、車両データ格納部１５１ａに格納されている車載器ＩＤの中に、車両識別データ取得部１５５ａから受け取った車載器ＩＤ「Ｃ０４１５」と一致するものがあるか否かを判定する（Ｓ２０４）。この例の場合には、車両データ格納部１５１ａに格納されている車載器ＩＤの中に、車両識別データ取得部１５５ａから受け取った車載器ＩＤ「Ｃ０４１５」と一致するものがない。したがって、車両識別データ判定部１５６ａは、一致するものがないとの判定結果を示すデータを、利用制御部１５７ａへ送る。
【０１３４】
そして、ＤＳＲＣ出口路側コントローラ１５０ａの利用制御部１５７ａは、駐車料金の支払いを促すよう精算機１０７ａを制御する（Ｓ２０５）。このようにして、精算機１０７ａは、駐車場２００ａだけを利用するか、又は、グループ化された各駐車場２００ａ〜ｄを利用するか、駐車場２００の利用方法の選択を促すことになる。
【０１３５】
そして、車載器ＩＤ「Ｃ０４１５」の車両の搭乗者が駐車場２００ａだけを利用することを選択すると、精算機１０７ａは、駐車場２００ａだけを利用することが選択されたことを示すデータを、ＤＳＲＣ出口路側コントローラ１５０ａへ伝送器１９９ａを介して出力する。そして、ＤＳＲＣ出口路側コントローラ１５０ａの利用方法選択データ取得部１５８ａは、駐車場２００ａだけを利用することが選択されたことを示すデータの入力を、精算機１０７ａから受け付けると（Ｓ２０６）、そのデータを、車両識別データ送信部１６０ａへ送る。そして、利用方法選択データ取得部１５８ａは、駐車場２００ａの利用方法について選択されたことを通知する旨のデータを、利用制御部１５７ａへ送る。ＤＳＲＣ出口路側コントローラ１５０ａの車両識別データ送信部１６０ａは、駐車場２００ａだけを利用することが選択されたことを示すデータを、利用方法選択データ取得部１５８ａから受け取ると、何ら処理を行わない。
【０１３６】
そして、ＤＳＲＣ出口路側コントローラ１５０ａの利用制御部１５７ａは、出口のゲートを開くよう出口側ゲート機器１０８ａを制御する（Ｓ２０７）。このようにして、出口側ゲート機器１０８ａは、出口のゲートを開くことになる。そして、利用制御部１５７ａは、出口のゲートを開くよう出口側ゲート機器１０８ａを制御したことを通知するデータを、通知データ送信部１５９ａへ送る。
【０１３７】
そして、ＤＳＲＣ出口路側コントローラ１５０ａの通知データ送信部１５９ａは、出口のゲートを開くよう出口側ゲート機器１０８ａが制御されたことを通知するデータを、駐車場端末１７０ａへ送信する（Ｓ２０８）。駐車場端末１７０ａの通知データ受信部１７６ａは、出口のゲートを開くよう出口側ゲート機器１０８ａを制御したことを通知するデータを、ＤＳＲＣ出口路側コントローラ１５０ａから受信すると、そのデータを、混雑度算出部１７７ａへ送る。
【０１３８】
そして、駐車場端末１７０ａの混雑度算出部１７７ａは、受け取ったデータに基づいて、駐車場２００ａの空数を算出する（Ｓ２０９）。この例の場合には、駐車場２００ａから１台の車両が出場したことになるので、駐車場２００ａの空数を「１」加算する。そして、混雑度算出部１７７ａは、算出した駐車場２００ａの空数を示すデータを、混雑度データ送信部１７８ａへ送る。
【０１３９】
そして、駐車場端末１７０ａの混雑度データ送信部１７８ａは、駐車場２００ａの空数を示すデータを、サーバ１１０へ送信する（Ｓ２１０）。そして、サーバ１１０の混雑度データ受信部１１５は、受信した駐車場２００ａの空数を示すデータを、駐車場データ格納部１１２に格納する。
【０１４０】
そして、サーバ１１０の混雑度データ配信部１１６は、駐車場２００の空数を示すデータを、各駐車場端末１７０ａ〜ｄへ配信する（Ｓ１１１）。そして、各駐車場端末１７０ａ〜ｄの混雑度データ受信部１７９は、サーバ１１０から受信した駐車場２００ａの空数を示すデータを、駐車場データ格納部１７２に格納する。
【０１４１】
このように、駐車場利用管理システム１００においては、グループ化された駐車場２００を初めて利用する場合、これらの駐車場２００から出場するにあたり、精算機１０７ａによって精算処理が行われることになる。
【０１４２】
図１５及び図１６は、サーバ１１０、ＤＳＲＣ入口路側コントローラ１３０ａ、ＤＳＲＣ出口路側コントローラ１５０ａ、及び駐車場端末１７０ａの動作シーケンスの一例を示す。この動作シーケンスの説明においては、図１から図１２を共に参照する。
【０１４３】
この動作シーケンスにおいては、車載器ＩＤ「Ｃ０４１５」の車両が、グループ化された駐車場２００を初めて利用する例であって、駐車場ＩＤ「２００ａ」の駐車場２００ａから出場する際に、グループ化された各駐車場２００ａ〜ｄを利用するための駐車料金を精算する例について説明する。
【０１４４】
なお、サーバ１１０の車両データ格納部１１１には、図６に示すようなデータが格納されているものとする。また、サーバ１１０の駐車場データ格納部１１２には、図７に示すようなデータが格納されているものとする。また、ＤＳＲＣ入口路側コントローラ１３０ａの車両データ格納部１３１ａには、図８に示すようなデータが格納されているものとする。また、ＤＳＲＣ出口路側コントローラ１５０ａの車両データ格納部１５１ａには、図９に示すようなデータが格納されているものとする。また、駐車場端末１７０ａの車両データ格納部１７１ａには、図１０に示すようなデータが格納されているものとする。また、駐車場端末１７０ａの駐車場データ格納部１７２ａには、図１１に示すようなデータが格納されているものとする。また、駐車場端末１７０ａの道路交通情報データ格納部１７３ａには、図１２に示すようなデータが格納されているものとする。但し、この例においては、車載器ＩＤ「Ｃ０４１５」の車両が、グループ化された駐車場２００を初めて利用することとしているので、サーバ１１０の車両データ格納部１１１、ＤＳＲＣ入口路側コントローラ１３０ａの車両データ格納部１３１ａ、ＤＳＲＣ出口路側コントローラ１５０ａの車両データ格納部１５１ａ、及び駐車場端末１７０ａの車両データ格納部１７１ａには、車載器ＩＤ「Ｃ０４１５」に関するレコードは格納されていないものとする。
【０１４５】
この動作シーケンスのステップＳ３０１からステップＳ３０５までの処理は、上記の動作シーケンスのステップＳ２０１からステップＳ２０５までの処理とそれぞれ同様の処理であるため、その詳細な説明を省略する。また、この動作シーケンスのステップＳ３０７からステップＳ３１１までの処理は、上記の動作シーケンスのステップＳ２０７からステップＳ２１１までの処理とそれぞれ同様の処理であるため、その詳細な説明を省略する。
【０１４６】
車載器ＩＤ「Ｃ０４１５」の車両の搭乗者がグループ化された各駐車場２００ａ〜ｄを利用することを選択すると、精算機１０７ａは、グループ化された各駐車場２００ａ〜ｄを利用することが選択されたことを示すデータを、ＤＳＲＣ出口路側コントローラ１５０ａへ伝送器１９９ａを介して出力する。そして、ＤＳＲＣ出口路側コントローラ１５０ａの利用方法選択データ取得部１５８ａは、駐車場２００ａだけを利用することが選択されたことを示すデータの入力を、精算機１０７ａから受け付けると（Ｓ３０６）、そのデータを、車両識別データ送信部１６０ａへ送る。そして、利用方法選択データ取得部１５８ａは、駐車場２００ａの利用方法について選択されたことを通知する旨のデータを、利用制御部１５７ａへ送る。
【０１４７】
そして、ＤＳＲＣ出口路側コントローラ１５０ａの車両識別データ送信部１６０ａは、グループ化された各駐車場２００ａ〜ｄを利用することが選択されたことを示すデータを、精算データ入力受付部１５９ａから受け取ると、車両識別データ取得部１５５ａから受け取った車載器ＩＤ「Ｃ０４１５」を、サーバ１１０及び駐車場端末１７０ａへ送信する（Ｓ３１２）。そして、サーバ１１０の車両識別データ受信部１１３は、ＤＳＲＣ出口路側コントローラ１５０ａから受信した車載器ＩＤ「Ｃ０４１５」と、ＤＳＲＣ出口路側コントローラ１５０ａが設けられている駐車場の駐車場ＩＤ「２００ａ」とを、車両データ格納部１１１に格納する。
【０１４８】
そして、サーバ１１０の車両データ配信部１１４は、車両データ格納部１１１に格納されているレコードが更新されると、そのレコードの車載器ＩＤ「Ｃ０４１５」を、各ＤＳＲＣ入口路側コントローラ１３０ａ〜ｄ及び各ＤＳＲＣ出口路側コントローラ１５０ａ〜ｄへ配信する（Ｓ３１３）。更に、サーバ１１０の車両データ配信部１１４は、車載器ＩＤ「Ｃ０４１５」と共に、更新された駐車場の駐車場ＩＤ「２００ａ」を更に含むデータを各駐車場端末１７０ａ〜ｄへ配信する。そして、ＤＳＲＣ入口路側コントローラ１３０ａ〜ｄの車両データ受信部１３２は、車載器ＩＤ「Ｃ０４１５」を、サーバ１１０から受信すると、そのデータを、車両データ格納部１３１に格納する。同様に、ＤＳＲＣ出口路側コントローラ１５０ａ〜ｄの車両データ受信部１５２は、車載器ＩＤ「Ｃ０４１５」を、サーバ１１０から受信すると、そのデータを、車両データ格納部１５１に格納する。また、駐車場端末１７０ａ〜ｄの車両データ受信部１７５は、車載器ＩＤ「Ｃ０４１５」と、駐車場の駐車場ＩＤ「２００ａ」とを、サーバ１１０から受信すると、これらのデータを、車両データ格納部１７１に格納する。
【０１４９】
一方、駐車場端末１７０ａの車両識別データ受信部１８２ａは、車載器ＩＤ「Ｃ０４１５」を、ＤＳＲＣ出口路側コントローラ１５０ａから受信すると、そのデータを、駐車場選択部１８３ａへ送る。そして、駐車場端末１７０ａの駐車場選択部１８３ａは、車両データ格納部１７１ａに格納されているレコードのうち、車載器ＩＤ「Ｃ０４１５」と一致する車載器ＩＤデータのレコードを特定する。そして、駐車場選択部１８３ａは、グループ化された駐車場２００ａ〜ｄのうち、特定したレコードに格納されている駐車場２００の駐車場ＩＤデータによって識別される駐車場２００以外の駐車場２００を選択する（Ｓ３１４）。この例の場合、車両データ格納部１７１ａには、駐車場ＩＤ「２００ａ」だけが格納されている。したがって、駐車場選択部１８３ａは、グループ化された駐車場２００ｂ〜ｄのいずれかの駐車場２００を選択することになる。
【０１５０】
例えば、駐車場選択部１８３ａは、駐車場２００を選択するにあたり、駐車場データ格納部１７２ａに格納されているデータによって示される各駐車場２００の混雑の度合いに基づいて選択する。この例の場合、図１１を参照すると、駐車場データ格納部１７２ａには、駐車場ＩＤ「２００ｂ」の空数「４」、駐車場ＩＤ「２００ｃ」の空数「３３」、及び駐車場ＩＤ「２００ｄ」の空数「０」がそれぞれ格納されている。したがって、駐車場選択部１８３ａは、各駐車場２００の混雑の度合いに基づいて駐車場２００を選択すれば、空数が最多の駐車場ＩＤ「２００ｃ」の駐車場２００ｃを選択することになる。
【０１５１】
また、例えば、駐車場選択部１８３ａは、駐車場２００を選択するにあたり、道路交通情報データ格納部１７３ａに格納されているデータによって示される道路交通情報に基づいて選択する。具体的には、駐車場選択部１８３ａは、その駐車場２００までの道路がなるべく混雑していない駐車場２００を選択する。
【０１５２】
また、例えば、駐車場選択部１８３ａは、駐車場２００を選択するにあたり、駐車場データ格納部１７２ａに格納されているデータによって示されるグループ化された各駐車場２００ａ〜ｄの巡回すべき順序に基づいて選択する。この例の場合、図１１を参照すると、駐車場データ格納部１７２ａには、駐車場ＩＤ「２００ｂ」の巡回順序「２」、駐車場ＩＤ「２００ｃ」の巡回順序「４」、及び駐車場ＩＤ「２００ｄ」の巡回順序「３」がそれぞれ格納されている。したがって、駐車場選択部１８３ａは、グループ化された各駐車場２００ａ〜ｄの巡回すべき順序に基づいて駐車場２００を選択すれば、巡回すべき順序が最先の駐車場ＩＤ「２００ｂ」の駐車場２００ｂを選択することになる。
【０１５３】
また、例えば、駐車場選択部１８３ａは、これらの条件のうち、２つ以上の条件に基づいて駐車場２００を選択してもよい。この例では、駐車場選択部１８３ａは、駐車場ＩＤ「２００ｂ」の駐車場２００ｂを選択したと仮定する。そして、駐車場選択部１８３ａは、選択した駐車場２００ｂの駐車場ＩＤ「２００ｂ」を、案内データ生成部１８４ａへ送る。
【０１５４】
そして、駐車場端末１７０ａの案内データ生成部１８４ａは、選択された駐車場２００ｂへの案内を示すデータを、地図データ格納部１７４ａに格納されている地図データに基づいて生成する（Ｓ３１５）。そして、案内データ生成部１８４ａは、生成した駐車場２００ｂへの案内を示すデータを、案内データ出力部１８５ａへ出力する。
【０１５５】
そして、駐車場端末１７０ａの案内データ出力部１８５ａは、駐車場２００ｂへの案内を示すデータを、ディスプレイ１０９ａへ出力する。このようにして、ディスプレイ１０９ａには、駐車場２００ｂへ向かうよう車載器ＩＤ「Ｃ０４１５」の車両の搭乗者へ促す旨の表示と、駐車場２００ａから駐車場２００ｂまでのルートを示す地図とが表示されることになる。
【０１５６】
このように、駐車場利用管理システム１００においては、グループ化された駐車場２００を初めて利用する場合、これらの駐車場２００から出場するにあたり、グループ化された各駐車場２００ａ〜ｄを利用するための駐車料金を精算すると、駐車場２００の出口に設けられたディスプレイ１０９に、次に向かうべき駐車場２００までの案内が表示されることになる。
【０１５７】
図１７は、サーバ１１０、ＤＳＲＣ入口路側コントローラ１３０ａ、及び駐車場端末１７０ａの動作シーケンスの一例を示す。この動作シーケンスの説明においては、図１から図１２を共に参照する。
【０１５８】
この動作シーケンスにおいては、駐車場２００ａを利用した際に、グループ化された各駐車場２００ａ〜ｄを利用するための駐車料金を精算した車載器ＩＤ「Ｃ０４１５」の車両が、駐車場ＩＤ「２００ｂ」の駐車場２００ｂへ入場する例について説明する。
【０１５９】
なお、サーバ１１０の車両データ格納部１１１には、図６に示すようなデータが格納されているものとする。また、サーバ１１０の駐車場データ格納部１１２には、図７に示すようなデータが格納されているものとする。また、ＤＳＲＣ入口路側コントローラ１３０ｂの車両データ格納部１３１ｂには、図８に示すようなデータが格納されているものとする。また、駐車場端末１７０ｂの車両データ格納部１７１ｂには、図１０に示すようなデータが格納されているものとする。また、駐車場端末１７０ｂの駐車場データ格納部１７２ｂには、図１１に示すようなデータが格納されているものとする。また、駐車場端末１７０ｂの道路交通情報データ格納部１７３ｂには、図１２に示すようなデータが格納されているものとする。
【０１６０】
この動作シーケンスのステップＳ４０１からステップＳ４０３までの処理は、上記の動作シーケンスのステップＳ１０１からステップＳ１０３までの処理とそれぞれ同様の処理であるため、その詳細な説明を省略する。また、この動作シーケンスのステップＳ４０６からステップＳ４０９までの処理は、上記の動作シーケンスのステップＳ１０８からステップＳ１１１までの処理とそれぞれ同様の処理であるため、その詳細な説明を省略する。
【０１６１】
ＤＳＲＣ入口路側コントローラ１３０ｂの車両識別データ判定部１３６ｂは、車両データ格納部１３１ｂに格納されている車載器ＩＤの中に、車両識別データ取得部１３５ｂから受け取った車載器ＩＤ「Ｃ０４１５」と一致するものがあるか否かを判定する（Ｓ４０４）。この例の場合には、車両データ格納部１３１ｂに格納されている車載器ＩＤの中に、車両識別データ取得部１３５ｂから受け取った車載器ＩＤ「Ｃ０４１５」と一致するものがある。したがって、車両識別データ判定部１３６ｂは、一致するものがあるとの判定結果を示すデータを、利用制御部１３７ｂへ送る。
【０１６２】
そして、ＤＳＲＣ入口路側コントローラ１３０ｂの利用制御部１３７ｂは、駐車券を発券するよう発券機１０３ａを制御することなく、入口のゲートを開くよう入口側ゲート機器１０４ａを制御する（Ｓ４０５）。このようにして、入口側ゲート機器１０４ｂは、入口のゲートを開くことになる。そして、利用制御部１３７ｂは、入口のゲートを開くよう入口側ゲート機器１０４ｂを制御したことを通知するデータを、通知データ送信部１３９ｂへ送る。
【０１６３】
このように、駐車場利用管理システム１００においては、グループ化された各駐車場２００を利用するための駐車料金が既に精算されている場合、駐車券の発券を受けることなく駐車場２００へ入場することになる。
【０１６４】
図１８及び図１９は、サーバ１１０、ＤＳＲＣ入口路側コントローラ１３０ｂ、ＤＳＲＣ出口路側コントローラ１５０ｂ、及び駐車場端末１７０ｂの動作シーケンスの一例を示す。この動作シーケンスの説明においては、図１から図１２を共に参照する。
【０１６５】
この動作シーケンスにおいては、駐車場２００ａを利用した際に、グループ化された各駐車場２００ａ〜ｄを利用するための駐車料金を精算した車載器ＩＤ「Ｃ０４１５」の車両が、駐車場ＩＤ「２００ｂ」の駐車場２００ｂから出場する例について説明する。
【０１６６】
なお、サーバ１１０の車両データ格納部１１１には、図６に示すようなデータが格納されているものとする。また、サーバ１１０の駐車場データ格納部１１２には、図７に示すようなデータが格納されているものとする。また、ＤＳＲＣ入口路側コントローラ１３０ｂの車両データ格納部１３１ｂには、図８に示すようなデータが格納されているものとする。また、ＤＳＲＣ出口路側コントローラ１５０ｂの車両データ格納部１５１ｂには、図９に示すようなデータが格納されているものとする。また、駐車場端末１７０ｂの車両データ格納部１７１ｂには、図１０に示すようなデータが格納されているものとする。また、駐車場端末１７０ｂの駐車場データ格納部１７２ｂには、図１１に示すようなデータが格納されているものとする。また、駐車場端末１７０ｂの道路交通情報データ格納部１７３ｂには、図１２に示すようなデータが格納されているものとする。
【０１６７】
この動作シーケンスのステップＳ５０１からステップＳ５０３までの処理は、上記の動作シーケンスのステップＳ２０１からステップＳ２０３までの処理とそれぞれ同様の処理であるため、その詳細な説明を省略する。また、この動作シーケンスのステップＳ５０６からステップＳ５０９までの処理は、上記の動作シーケンスのステップＳ２０８からステップＳ２１１までの処理とそれぞれ同様の処理であるため、その詳細な説明を省略する。また、この動作シーケンスのステップＳ５１０からステップＳ５１４までの処理は、上記の動作シーケンスのステップＳ３１２からステップＳ３１６までの処理とそれぞれ同様の処理であるため、その詳細な説明を省略する。
【０１６８】
ＤＳＲＣ出口路側コントローラ１５０ｂの車両識別データ判定部１５６ｂは、車両データ格納部１５１ｂに格納されている車載器ＩＤの中に、車両識別データ取得部１５５ｂから受け取った車載器ＩＤ「Ｃ０４１５」と一致するものがあるか否かを判定する（Ｓ５０４）。この例の場合には、車両データ格納部１５１ｂに格納されている車載器ＩＤの中に、車両識別データ取得部１５５ｂから受け取った車載器ＩＤ「Ｃ０４１５」と一致するものがある。したがって、車両識別データ判定部１５６ｂは、一致するものがあるとの判定結果を示すデータを、利用制御部１５７ｂへ送る。
【０１６９】
そして、ＤＳＲＣ出口路側コントローラ１５０ｂの利用制御部１５７ｂは、駐車料金の支払いを促すよう精算機１０７ｂを制御することなく、出口のゲートを開くよう出口側ゲート機器１０８ｂを制御する（Ｓ５０５）。そして、利用制御部１５７ｂは、出口のゲートを開くよう出口側ゲート機器１０８ｂを制御したことを示すデータを、通知データ送信部１５９ｂへ送る。
【０１７０】
このように、駐車場利用管理システム１００においては、グループ化された各駐車場２００を利用するための駐車料金が既に精算されている場合、精算機の清算処理を受けることなく駐車場２００から出場することになる。
【０１７１】
以上説明したように、駐車場利用管理システム１００においては、駐車場２００の利用者は、グループ化された各駐車場２００ａ〜ｄを利用することを、精算機１０７によって選択しておけば、これらグループ化された各駐車場２００ａ〜ｄを利用するにあたり、駐車券を受け取ることなく入場することができ、駐車料金を毎回精算することなく出場することができる。
【０１７２】
また、駐車場利用管理システム１００においては、グループ化された各駐車場２００ａ〜ｄを利用することを選択した利用者は、これらグループ化された各駐車場２００ａ〜ｄのうち、未だ利用していない駐車場２００への案内を知ることができる。
【０１７３】
また、駐車場利用管理システム１００においては、グループ化された各駐車場２００ａ〜ｄを利用することを選択した利用者は、これらグループ化された各駐車場２００ａ〜ｄのうち、未だ利用していない駐車場２００であって、なるべく混雑していない駐車場２００への案内を知ることができる。
【０１７４】
また、駐車場利用管理システム１００においては、グループ化された各駐車場２００ａ〜ｄを利用することを選択した利用者は、これらグループ化された各駐車場２００ａ〜ｄのうち、未だ利用していない駐車場２００であって、その駐車場２００までの道路がなるべく混雑していない駐車場２００への案内を知ることができる。
【０１７５】
また、駐車場利用管理システム１００においては、グループ化された各駐車場２００ａ〜ｄを利用することを選択した利用者は、これらグループ化された各駐車場２００ａ〜ｄを、サービスの事業者が定めた順序に従って巡回することができる。
【０１７６】
なお、上記実施の形態においては、駐車場２００の入口に設けた発券機１０３によって駐車券を発券し、駐車場２００の出口に設けた精算機１０７によって精算する例について説明したが、駐車場２００の入口において駐車券を発券しなかったり、駐車場２００の入口に精算機１０７を設けて、駐車場２００の入口において精算したりするようにしてもよい。
【０１７７】
また、上記実施の形態においては、精算機１０７によって駐車場２００の駐車料金を精算する例について説明したが、車両に設置された車載器と交信して、駐車料金が支払われるようにしてもよい。
【０１７８】
また、上記実施の形態においては、精算機１０７によって駐車場２００の利用方法について選択する例について説明したが、発券機１０３によって駐車場２００の利用方法について選択したり、車両に設置された車載器と交信して、駐車場２００の利用方法が選択されるようにしてもよい。
【０１７９】
また、上記実施の形態においては、入口側ゲート機器１０４を制御した回数と、出口側ゲート機器１０８を制御した回数とに基づいて、駐車場２００の混雑の度合いを算出する例について説明したが、常用されている他の手法を用いて駐車場２００の混雑の度合いを算出するようにしてもよい。
【０１８０】
図２０は、サーバ１１０、ＤＳＲＣ入口路側コントローラ１３０、ＤＳＲＣ出口路側コントローラ１５０、及び駐車場端末１７０をコンピュータ等の電子情報処理装置でそれぞれ構成した場合のハードウェア構成の一例を示す。サーバ１１０、ＤＳＲＣ入口路側コントローラ１３０、ＤＳＲＣ出口路側コントローラ１５０、及び駐車場端末１７０は、ＣＰＵ（Ｃｅｎｔｒａｌ  Ｐｒｏｃｅｓｓｉｎｇ  Ｕｎｉｔ）周辺部と、入出力部と、レガシー入出力部とを備える。ＣＰＵ周辺部は、ホスト・コントローラ８０１により相互に接続されるＣＰＵ８０２、ＲＡＭ（Ｒａｎｄｏｍ  Ａｃｃｅｓｓ  Ｍｅｍｏｒｙ）８０３、グラフィック・コントローラ８０４、及び表示装置８０５を有する。入出力部は、入出力コントローラ８０６によりホスト・コントローラ８０１に接続される通信インターフェイス８０７、ハードディスクドライブ８０８、及びＣＤ−ＲＯＭ（Ｃｏｍｐａｃｔ  Ｄｉｓｋ  Ｒｅａｄ  Ｏｎｌｙ  Ｍｅｍｏｒｙ）ドライブ８０９を有する。レガシー入出力部は、入出力コントローラ８０６に接続されるＲＯＭ（Ｒｅａｄ  Ｏｎｌｙ  Ｍｅｍｏｒｙ）８１０、フレキシブルディスク・ドライブ８１１、及び入出力チップ８１２を有する。
【０１８１】
ホスト・コントローラ８０１は、ＲＡＭ８０３と、高い転送レートでＲＡＭ８０３をアクセスするＣＰＵ８０２、及びグラフィック・コントローラ８０４とを接続する。ＣＰＵ８０２は、ＲＯＭ８１０、及びＲＡＭ８０３に格納されたプログラムに基づいて動作して、各部の制御をする。グラフィック・コントローラ８０４は、ＣＰＵ８０２等がＲＡＭ８０３内に設けたフレーム・バッファ上に生成する画像データを取得して、表示装置８０５上に表示させる。これに代えて、グラフィック・コントローラ８０４は、ＣＰＵ８０２等が生成する画像データを格納するフレーム・バッファを、内部に含んでもよい。
【０１８２】
入出力コントローラ８０６は、ホスト・コントローラ８０１と、比較的高速な入出力装置であるハードディスクドライブ８０８、通信インターフェイス８０７、ＣＤ−ＲＯＭドライブ８０９を接続する。ハードディスクドライブ８０８は、ＣＰＵ８０２が使用するプログラム、及びデータを格納する。通信インターフェイス８０７は、ネットワーク通信装置８９１に接続してプログラム又はデータを送受信する。ＣＤ−ＲＯＭドライブ８０９は、ＣＤ−ＲＯＭ８９２からプログラム又はデータを読み取り、ＲＡＭ８０３を介してハードディスクドライブ８０８、及び通信インターフェイス８０７に提供する。
【０１８３】
入出力コントローラ８０６には、ＲＯＭ８１０と、フレキシブルディスク・ドライブ８１１、及び入出力チップ８１２の比較的低速な入出力装置とが接続される。ＲＯＭ８１０は、サーバ１１０、ＤＳＲＣ入口路側コントローラ１３０、ＤＳＲＣ出口路側コントローラ１５０、及び駐車場端末１７０が起動時に実行するブート・プログラム、あるいはサーバ１１０、ＤＳＲＣ入口路側コントローラ１３０、ＤＳＲＣ出口路側コントローラ１５０、及び駐車場端末１７０のハードウェアに依存するプログラム等を格納する。フレキシブルディスク・ドライブ８１１は、フレキシブルディスク８９３からプログラム又はデータを読み取り、ＲＡＭ８０３を介してハードディスクドライブ８０８、及び通信インターフェイス８０７に提供する。入出力チップ８１２は、フレキシブルディスク・ドライブ８１１、あるいはパラレル・ポート、シリアル・ポート、キーボード・ポート、マウス・ポート等を介して各種の入出力装置を接続する。
【０１８４】
ＣＰＵ８０２が実行するプログラムは、フレキシブルディスク８９３、ＣＤ−ＲＯＭ８９２、又はＩＣ（Ｉｎｔｅｇｒａｔｅｄ  Ｃｉｒｃｕｉｔ）カード等の記録媒体に格納されて利用者によって提供される。記録媒体に格納されたプログラムは圧縮されていても非圧縮であってもよい。プログラムは、記録媒体からハードディスクドライブ８０８にインストールされ、ＲＡＭ８０３に読み出されてＣＰＵ８０２により実行される。ＣＰＵ８０２により実行されるプログラムは、サーバ１１０を、図１から図１９に関連して説明した車両データ格納部１１１、駐車場データ格納部１１２、車両識別データ受信部１１３、車両データ配信部１１４、混雑度データ受信部１１５、混雑度データ配信部１１６、道路交通情報データ受信部１１７、道路交通情報データ配信部１１８、巡回順序データ入力受付部１１９、及び巡回順序データ配信部１２０として機能させ、ＤＳＲＣ入口路側コントローラ１３０を、図１から図１９に関連して説明した車両データ格納部１３１、車両データ受信部１３２、車両検出データ入力受付部１３３、要求データ送信部１３４、車両識別データ取得部１３５、車両識別データ判定部１３６、利用制御部１３７、発券データ入力受付部１３８、及び通知データ送信部１３９として機能させ、ＤＳＲＣ出口路側コントローラ１５０を、図１から図１９に関連して説明した車両データ格納部１５１、車両データ受信部１５２、車両検出データ入力受付部１５３、要求データ送信部１５４、車両識別データ取得部１５５、車両識別データ判定部１５６、利用制御部１５７、利用方法選択データ取得部１５８、通知データ送信部１５９、及び車両識別データ送信部１６０として機能させ、駐車場端末１７０を、図１から図１９に関連して説明した車両データ格納部１７１、駐車場データ格納部１７２、道路交通情報データ格納部１７３、地図データ格納部１７４、車両データ受信部１７５、通知データ受信部１７６、混雑度算出部１７７、混雑度データ送信部１７８、混雑度データ受信部１７９、道路交通情報データ受信部１８０、巡回順序データ受信部１８１、車両識別データ受信部１８２、駐車場選択部１８３、案内データ生成部１８４、及び案内データ出力部１８５として機能させる。
【０１８５】
以上に示したプログラムは、外部の記憶媒体に格納されてもよい。記憶媒体としては、フレキシブルディスク８９３、ＣＤ−ＲＯＭ８９２の他に、ＤＶＤ（Ｄｉｇｉｔａｌ  Ｖｅｒｓａｔｉｌｅ  Ｄｉｓｋ）又はＰＤ（Ｐｈａｓｅ  Ｄｉｓｋ）等の光学記録媒体、ＭＤ（ＭｉｎｉＤｉｓｋ）等の光磁気記録媒体、テープ媒体、ＩＣカード等の半導体メモリ等を用いることができる。また、専用通信ネットワークあるいはインターネットに接続されたサーバシステムに設けたハードディスク又はＲＡＭ等の記憶媒体を記録媒体として使用して、ネットワークを介したプログラムとして提供してもよい。
【０１８６】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１８７】
１００  駐車場利用管理システム
１０１  入口側アンテナ
１０２  入口側車両検出装置
１０３  発券機
１０４  入口側ゲート機器
１０５  出口側アンテナ
１０６  出口側車両検出装置
１０７  精算機
１０８  出口側ゲート機器
１０９  ディスプレイ
１１０  サーバ
１１１  車両データ格納部
１１２  駐車場データ格納部
１１３  車両識別データ受信部
１１４  車両データ配信部
１１５  混雑度データ受信部
１１６  混雑度データ配信部
１１７  道路交通情報データ受信部
１１８  道路交通情報データ配信部
１１９  巡回順序データ入力受付部
１２０  巡回順序データ配信部
１３０  ＤＳＲＣ入口路側コントローラ
１３１  車両データ格納部
１３２  車両データ受信部
１３３  車両検出データ入力受付部
１３４  要求データ送信部
１３５  車両識別データ取得部
１３６  車両識別データ判定部
１３７  利用制御部
１３８  発券データ入力受付部
１３９  通知データ送信部
１５０  ＤＳＲＣ出口路側コントローラ
１５１  車両データ格納部
１５２  車両データ受信部
１５３  車両検出データ入力受付部
１５４  要求データ送信部
１５５  車両識別データ取得部
１５６  車両識別データ判定部
１５７  利用制御部
１５８  利用方法選択データ取得部
１５９  通知データ送信部
１６０  車両識別データ送信部
１７０  駐車場端末
１７１  車両データ格納部
１７２  駐車場データ格納部
１７３  道路交通情報データ格納部
１７４  地図データ格納部
１７５  車両データ受信部
１７６  通知データ受信部
１７７  混雑度算出部
１７８  混雑度データ送信部
１７９  混雑度データ受信部
１８０  道路交通情報データ受信部
１８１  巡回順序データ受信部
１８２  車両識別データ受信部
１８３  駐車場選択部
１８４  案内データ生成部
１８５  案内データ出力部
１９０  通信回線
１９１  道路交通情報サーバ
１９９  伝送器
８０１  ホスト・コントローラ
８０２  ＣＰＵ
８０３  ＲＡＭ
８０４  グラフィック・コントローラ
８０５  表示装置
８０６  入出力コントローラ
８０７  通信インターフェイス
８０８  ハードディスクドライブ
８０９  ＣＤ−ＲＯＭドライブ
８１０  ＲＯＭ
８１１  フレキシブルディスク・ドライブ
８１２  入出力チップ
８９１  ネットワーク通信装置
８９２  ＣＤ−ＲＯＭ
８９３  フレキシブルディスク
【図１】
0005627423.tif 000002
【図２】
0005627423.tif 000003
【図３】
0005627423.tif 000004
【図４】
0005627423.tif 000005
【図５】
0005627423.tif 000006
【図６】
0005627423.tif 000007
【図７】
0005627423.tif 000008
【図８】
0005627423.tif 000009
【図９】
0005627423.tif 000010
【図１０】
0005627423.tif 000011
【図１１】
0005627423.tif 000012
【図１２】
0005627423.tif 000013
【図１３】
0005627423.tif 000014
【図１４】
0005627423.tif 000015
【図１５】
0005627423.tif 000016
【図１６】
0005627423.tif 000017
【図１７】
0005627423.tif 000018
【図１８】
0005627423.tif 000019
【図１９】
0005627423.tif 000020
【図２０】
0005627423.tif 000021